(57)【特許請求の範囲】
【請求項１】
乳がんを有する対象が該乳がんの転移を起こすリスクを有するかどうかを判定するための方法であって、
（ａ）がんを有する対象から得られた生物学的試料中のＣＣＲ５の発現レベルおよび／または少なくとも１つのＣＣＲ５リガンドの発現レベルを決定すること；ならびに
（ｂ）ステップ（ａ）で決定されたＣＣＲ５の発現レベルおよび／または少なくとも１つのＣＣＲ５リガンドの発現レベルが、対照試料中のＣＣＲ５の発現レベルおよび／または少なくとも１つのＣＣＲ５リガンドの発現レベルと比較して増加している場合に、該対象が、該乳がんの転移を起こすリスクを有する可能性があることを示すこと
を含む、前記方法。
【請求項２】
前記乳がんが、基底乳がんまたはＨｅｒ２陽性乳がんである、請求項１に記載の方法。
【請求項３】
前記転移のリスクが、肝臓、脳、膀胱、肺、副腎、腎臓、および骨からなる群から選択される器官、またはそれ以上の器官における腫瘍転移である、請求項１に記載の方法。
【請求項４】
ＣＣＲ５拮抗薬を含む、乳がんの転移を有するまたは乳がんの転移のリスクがある対象を治療するための医薬製剤であって、該対象は、請求項１〜３のいずれかに記載の方法によって、乳がんの転移を起こすリスクを有する可能性があることが示されている、医薬製剤。
【請求項５】
前記乳がんが、基底乳がんまたはＨｅｒ２陽性乳がんである、請求項４に記載の医薬製剤。
【請求項６】
前記ＣＣＲ５拮抗薬が、４，４−ジフルオロ−Ｎ−［（１Ｓ）−３−［（１Ｒ，５Ｓ）−３−（３−メチル−５−プロパン−２−イル−１，２，４−トリアゾール−４−イル）−８−アザビシクロ［３．２．１］オクタン−８−イル］−１−フェニルプロピル］シクロヘキサン−１−カルボキサミド（「マラビロック」）および（４，６−ジメチルピリミジン−５−イル）−［４−［（３Ｓ）−４−［（１Ｒ）−２−メトキシ−１−［４−（トリフルオロメチル）フェニル］エチル］−３−メチルピペラジン−１−イル］−４−メチルピペリジン−１−イル］メタノン（「ビクリビロック」）からなる群から選択される、請求項４に記載の医薬製剤。
【請求項７】
前記ＣＣＲ５拮抗薬が、４，４−ジフルオロ−Ｎ−［（１Ｓ）−３−［（１Ｒ，５Ｓ）−３−（３−メチル−５−プロパン−２−イル−１，２，４−トリアゾール−４−イル）−８−アザビシクロ［３．２．１］オクタン−８−イル］−１−フェニルプロピル］シクロヘキサン−１−カルボキサミド（「マラビロック」）；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピルシクロブタンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピルシクロペンタンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピル−４，４，４−トリフルオロブタンアミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピル−４，４−ジフルオロシクロヘキサンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−（３−フルオロフェニル）プロピル−４，４−ジフルオロシクロヘキサンカルボキサミド；およびそれらの薬剤的に許容できる塩または溶媒和化合物からなる群から選択される、請求項４に記載の医薬製剤。
【請求項８】
前記ＣＣＲ５拮抗薬が、
Ｎ−｛３−［３−エキソ−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−２Ｈ−ピラン−４−カルボキサミド；
１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝３−アゼチジンカルボキサミド；
１−ヒドロキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
２−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロプロパンカルボキサミド；
２−シクロプロピル−Ｎ−｛１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−３−フランカルボキサミド；
３，３，３−トリフルオロ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−２−フランカルボキサミド；
１−（アセチルアミノ）−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
１−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
１−アミノ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
１−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−オキソ−４−ピロリジンカルボキサミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル）３−アゼチジンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［６−（２−メチル−１Ｈ−ベンズイミダゾール−１−イル）−３−アザビシクロ［３．１．０］ヘキサ−３−イル］−１−フェニルプロピル｝シクロブタンカルボキサミド；
２−シクロプロピル−Ｎ−｛（１Ｓ）−３−［３−エキソ−（３−｛４−［（メチルスルホニル）アミノ］ベンジル｝−１，２，４−オキサジアゾール−５−イル）−８−アザビシクロ［３．２．１］オクタ−８−イル］−１−フェニルプロピル｝アセトアミド；
Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝シクロブタンカルボキサミド；
２−シクロプロピル−Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝アセトアミド；
３，３，３−トリフルオロ−Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝プロパンアミド；
Ｎ−｛（１Ｓ）−３−［７−エンド−（２−メチル−１Ｈ−ベンズイミダゾール−１−イル）−３−オキサ−９−アザビシクロ［３．３．１］ノナ−９−イル］−１−フェニルプロピル｝シクロブタンカルボキサミド；
２−シクロプロピル−Ｎ−｛（１Ｓ）−３−［７−エンド−（２−メチル−１Ｈ−ベンズイミダゾール−１−イル）−３−オキサ−９−アザビシクロ［３．３．１］ノナ−９−イル］−１−フェニルプロピル｝アセトアミド；
Ｎ−｛（１Ｓ）−３−［７−エキソ−（２−メチル−１Ｈ−ベンズイミダゾール−１−イル）−３−チア−９−アザビシクロ［３．３．１］ノナ−９−イル］−１−フェニルプロピル｝シクロブタンカルボキサミド；
２−シクロプロピル−Ｎ−［（１Ｓ）−３−（３−エンド−｛［２−（４−フルオロフェニル）アセチル］アミノ｝−８−アザビシクロ［３．２．１］オクタ−８−イル）−１−フェニルプロピル］アセトアミド；
Ｎ−［（１Ｓ）−３−（３−｛［３−エンド−（４−フルオロフェニル）プロパノイル］アミノ｝−８−アザビシクロ［３．２．１］オクタ−８−イル）−１−フェニルプロピル］シクロブタンカルボキサミド；
Ｎ−［（１Ｓ）−３−（３−｛［３−エキソ−（４−フルオロフェニル）プロパノイル］アミノ｝−８−アザビシクロ［３．２．１］オクタ−８−イル）−１−フェニルプロピル］シクロブタンカルボキサミド；
２−シクロプロピル−Ｎ−［（１Ｓ）−３−（３−エキソ−｛［２−（４−フルオロフェニル）アセチル］アミノ｝−８−アザビシクロ［３．２．１］オクタ−８−イル）−１−フェニルプロピル］アセトアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル）｝１−プロピオニル−３−アゼチジンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−３−フランカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−２Ｈ−ピラン４−カルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−２−フランカルボキサミド；
１−アセチル−Ｎ−｛（１Ｓ）−３−［３−エンド−（１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エンド−（１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
メチル３−［（｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アミノ）カルボニル］−１−アゼチジンカルボン酸；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−２−アゼチジンカルボキサミド；
２−［アセチル（メチル）アミノ］−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝プロパンアミド；
２−メトキシ−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−３−ピロリジンカルボキサミド；
１−メチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−２−オキソ−４−ピロリジンカルボキサミド；
１−アセチル−Ｎ−｛（１Ｓ）−３−［３−エキソ−（２−エチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（２−エチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）−３−アゼチジンカルボキサミド；
Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）−１−プロピオニル−３−アゼチジンカルボキサミド；
Ｎ−（（１Ｓ）−１−フェニル−３−｛３−エキソ［２−（トリフルオロメチル）−１Ｈ−ベンズイミダゾール−１−イル］−８−アザビシクロ［３．２．１］オクタ−８−イル｝プロピル）アセトアミド；
２−［アセチル（メチル）アミノ］−Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）アセトアミド；
１−アセチル−Ｎ−｛（１Ｓ）−３−［３−エキソ−（１Ｈ−ベンズイミダゾール−１−イル）−８−アザビシクロ［３．２．１］オクタ−８−イル］−１−フェニルプロピル｝−３−アゼチジンカルボキサミド；
Ｎ（１Ｓ）−３−［３−エキソ−（１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ（１Ｓ）−３−［３−エキソ−（５−フルオロ−１Ｈ−ベンズイミダゾール−１−イル）−８−アザビシクロ［３．２．１］オクタ−８−イル］−１−フェニルプロピル）３−アゼチジンカルボキサミド；
Ｎ−｛（１Ｓ）−３−［３−エキソ−（５−フルオロ−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−｛（１Ｓ）−３−［３−エキソ−（５−フルオロ−２−メチル−１Ｈ−ベンズイミダゾール−１−イル）−８−アザビシクロ［３．２．１］オクタ−８−イル］−１−フェニルプロピル｝３−アゼチジンカルボキサミド；
Ｎ−｛（１Ｓ）−３−［３−エキソ−（５−フルオロ−２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−アゼチジンカルボキサミド；
１−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−アゼチジンカルボキサミド；
（２Ｓ）−１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−アゼチジンカルボキサミド；
（２Ｒ）−１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−アゼチジンカルボキサミド；
２−［アセチル（メチル）アミノ］−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−ピロリジンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−１−（トリフルオロメチル）シクロプロパンカルボキサミド；
２−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
１−メチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
２−メトキシ−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝プロパンアミド；
２−［アセチル（メチル）アミノ］−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝プロパンアミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−メチル−３−オキセタンカルボキサミド；
３−エチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−オキセタンカルボキサミド；
３−エチル−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−メチル−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−１−メチル−３−アゼチジンカルボキサミド；
１−アセチル−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−２−メトキシアセトアミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝アセトアミド；
Ｎ｛−１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−メトキシプロパンアミド；
２−［アセチル（メチル）アミノ］−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝プロパンアミド；およびそれらの薬剤的に許容できる塩からなる群から選択される、請求項４に記載の医薬製剤。
【請求項９】
肝臓、脳、膀胱、肺、副腎、腎臓、骨およびそれらの組み合わせからなる群から選択される器官、またはそれ以上の器官における腫瘍転移を治療するための、請求項４に記載の医薬製剤。
【請求項１０】
前記乳がんが、基底乳がんである、請求項４に記載の医薬製剤。
【発明の詳細な説明】
【技術分野】
【０００１】
関連出願の相互参照
本出願は、２０１２年５月１４日に出願された、「Ｕｓｅ  Ｏｆ  Ｍｏｄｕｌａｔｏｒｓ  Ｏｆ  ＣＣＲ５  Ｉｎ  Ｔｈｅ  Ｔｒｅａｔｍｅｎｔ  Ｏｆ  Ｃａｎｃｅｒ  Ａｎｄ  Ｃａｎｃｅｒ  Ｍｅｔａｓｔａｓｉｓ」という表題の米国仮特許出願第６１／６４６，５８６号；および２０１２年５月１４日に出願された、「Ｕｓｅ  Ｏｆ  Ｍｏｄｕｌａｔｏｒｓ  Ｏｆ  ＣＣＲ５  Ｉｎ  Ｔｈｅ  Ｔｒｅａｔｍｅｎｔ  Ｏｆ  Ｃａｎｃｅｒ  Ａｎｄ  Ｃａｎｃｅｒ  Ｍｅｔａｓｔａｓｉｓ」という表題の同第６１／６４６，５９３号の利益を主張するものであり、これら両方の全体が参照により本発明に組み込まれている。
【０００２】
発明の分野
本開示は、部分的に、がんを有する対象が該がんの転移を起こすリスクを有するかどうかを判定する方法およびがん転移（methastasis）を阻止する方法に関する。
【０００３】
連邦政府による資金提供を受けた研究開発の記載
本発明は、部分的に、ＰＡＳＰＡ−ＵＮＡＭ（Ｍ．Ａ．Ｖ−Ｖ．）、ＮＩＨ助成金Ｒ０１ＣＡ０７０８９６、Ｒ０１ＣＡ０７５５０３、Ｒ０１ＣＡ１３２１１５、Ｒ０１ＣＡ１０７３８２、Ｒ０１ＣＡ０８６０７２（Ｒ．Ｇ．Ｐ．）、Ｒ０１ＣＡ１２０８７６（Ｍ．Ｐ．Ｌ）、キメルがんセンターＮＩＨがんセンター（Kimmel Cancer Center NIH Cancer Center）中核助成金Ｐ３０ＣＡ０５６０３６（Ｒ．Ｇ．Ｐ．）、Dr. Ralph and Marian C. Falk医学研究基金およびMargaret Q. Landenberger研究基金からの多額の助成金、並びにペンシルベニア保険局（Ｒ．Ｇ．Ｐ．）からの助成金によって支援を受けた。従って、合衆国政府は本発明において一定の権利を有する。
【背景技術】
【０００４】
発明の背景
乳がんは、毎年、米国において４０，０００人の女性の死亡を、そして世界において４１０，０００人の女性の死亡を引き起こしている１。前記疾患の治療の進歩にもかかわらず、早期乳がんを有する患者の２０％〜３０％が、遠隔転移性疾患を伴う再発を引き起こす２。それらの患者において、転移は主な死因となる。基底腫瘍を有する患者は、転移リスクが増加しており、生存率がより低い３、４。Kennecke et al.は、３，７２６人の乳がん患者に対して研究を行い、ルミナール（luminal）ＡまたはルミナールＢ腫瘍を有する患者と比較して、基底腫瘍が、転移をより高い頻度で引き起こし、転移の同定から死亡までの時間が短いことを報告した４。基底乳腺腫瘍に通常存在する５、ＡＲ、ＥＲ、およびＨＥＲ−２の非存在は、それらがホルモン療法またはＨＥＲ−２標的化療法に応答しにくいことを意味している。現在、化学療法、放射線照射、および外科手術は、基底乳がんを有する患者にとっての唯一の選択肢であるが、その全てが、転帰不良を示す６。基底乳がんに対する特異的標的化療法の必要に依然として迫られている。
【発明の概要】
【０００５】
発明の簡単な概要
例示として本明細書で開示される実施形態の特定の態様が、以下に要約される。これらの態様が、本明細書で開示および／または特許請求される発明が取り得る特定の形態の簡潔な概要を読者に提供することのみを目的として提供されていること、並びに、これらの態様が、本明細書で開示および／または特許請求されるいかなる発明の範囲をも限定することを意図していないことは理解されよう。実際には、本明細書で開示および／または特許請求されるいかなる発明も、以下に記載されない場合がある種々の態様を包含し得る。
【０００６】
本開示は、概して、対象ががんを有するかどうか、またはがんを発症するリスクを有するかどうか、および／またはがん転移を起こすリスクを有するかどうかを判定する方法を含む、種々の方法に関する。いくつかの実施形態において、本発明の方法は、患者における新生物またはがん転移を治療、予防、または管理する方法を含む。いくつかの実施形態において、本発明の方法は、マウス上皮細胞またはマウス前立腺上皮細胞の形質導入から得られ、ＮｅｕＴ、Ｈａ−Ｒａｓ、およびｃ−Ｓｒｃからなる群から選択される少なくとも１つの癌遺伝子によって形質転換された、一連の一つまたは複数の前立腺がん細胞株において、ＣＣＲ５発現をダウンレギュレートするためのインビボでの方法を含む。いくつかの好ましい実施形態において、ＨＩＶウイルスが宿主細胞に侵入し感染するために用いるＨＩＶ受容体ＣＣＲ５を標的とする薬剤が、がん細胞の、患者の身体における一次組織から二次部位への遊走および拡散を阻止するために用いられる。一実施形態では、ＨＩＶ受容体ＣＣＲ５を標的とする薬剤は、補助療法として、つまり、一次の、主要な、または初期のがん治療に加えて該薬剤が患者に投与される補助的治療として、用いられ得る。いくつかの実施形態において、そのような補助療法は、がんに対する他の療法に付随してまたは同時に投与され得る。一実施形態では、そのような補助療法は、他の補助療法と同時にまたは他の補助療法の後に、与えられ得る。
【０００７】
いくつかの実施形態において、ＣＣＲ５受容体拮抗薬は、補助療法として用いられる場合に、がん患者の予後を改善する。いくつかの実施形態において、複数の抗がん剤ががん治療と組み合わせて用いられる場合、ＣＣＲ５受容体拮抗薬は、治療中のがんの転移を阻止することでがん治療の臨床転帰の改善に寄与することによって、治療効果を向上させるために、補助療法として含まれ得る。
[本発明1001]
がんを有する対象が該がんの転移を起こすリスクを有するかどうかを判定する方法であって、
（ａ）がんを有する対象から生物学的試料を得ること；
（ｂ）該生物学的試料中のＣＣＲ5の発現レベルおよび／または少なくとも1つのＣＣＲ5リガンドの発現レベルを決定すること；ならびに
（ｃ）ステップ（ｂ）で決定されたＣＣＲ5の発現レベルおよび／または少なくとも1つのＣＣＲ5リガンドの発現レベルが、対照試料中のＣＣＲ5の発現レベルおよび／または少なくとも1つのＣＣＲ5リガンドの発現レベルと比較して増加している場合に、該対象が、該がんの転移を起こすリスクを有する可能性があると特定されること
を含む、前記方法。
[本発明1002]
対象ががんの転移を起こすリスクを有する可能性があると特定された場合に、対象にＣＣＲ5拮抗薬を投与することによってがん転移を治療、予防、または管理することをさらに含む、本発明1001の方法。
[本発明1003]
ＣＣＲ5拮抗薬ががんの転移を阻止する、本発明1002の方法。
[本発明1004]
一次の、主要な、または初期のがん治療に加えて、ＣＣＲ5拮抗薬が対象に投与される、本発明1002の方法。
[本発明1005]
前記がんが、急性白血病、急性リンパ性白血病、急性骨髄球性白血病、骨髄芽球性白血病、前骨髄球性白血病、骨髄単球性白血病、単球性白血病、赤白血病（erythroleukemia leukemia）、骨髄異形成症候群；慢性骨髄性（顆粒球性）白血病、慢性リンパ球性白血病、毛様細胞性白血病；真性赤血球増加症；リンパ腫、ホジキン病、非ホジキン病；多発性骨髄腫、くすぶり型多発性骨髄腫、非分泌性骨髄腫、骨硬化性骨髄腫、形質細胞性白血病、孤立性形質細胞腫および髄外性形質細胞腫；ワルデンストロームマクログロブリン血症；意味未確定の単クローン性高γグロブリン血症；良性単クローン性高γグロブリン血症；重鎖病；骨および結合組織肉腫、骨肉腫、骨肉腫、軟骨肉腫、ユーイング肉腫、悪性巨細胞腫、骨線維肉腫、脊索腫、骨膜性肉腫、軟部組織肉腫、血管肉腫（angiosarcoma, hemangiosarcoma）、線維肉腫、カポジ肉腫、平滑筋肉腫、脂肪肉腫、リンパ管肉腫、神経鞘腫、横紋筋肉腫、滑膜肉腫；脳腫瘍、神経膠腫、星状細胞腫、脳幹神経膠腫、上衣腫、乏突起膠腫、非神経膠腫瘍（nonglial tumor）、聴神経鞘腫、頭蓋咽頭腫、髄芽腫、髄膜腫、松果体腫、松果体芽腫、原発性脳リンパ腫；乳がん、例えば、限定はされないが、腺管癌、腺癌、小葉（小細胞）癌、腺管内癌、乳腺髄様がん、乳粘液性がん、乳管がん、乳頭状乳がん、パジェット病、および炎症性乳がん；副腎がん、褐色細胞腫および副腎皮質癌；甲状腺がん、乳頭様甲状腺がんまたは濾胞性甲状腺がん、甲状腺髄様がんおよび組織非形成性甲状腺がん；膵がん、インスリノーマ、ガストリノーマ、グルカゴノーマ、ビポーマ、ソマトスタチン分泌腫瘍、およびカルチノイドまたは島細胞腫瘍；下垂体がん、クッシング病、プロラクチン分泌腫瘍、先端巨大症、および尿崩症（diabetes insipius）；眼がん、眼メラノーマ、虹彩黒色腫、脈絡膜黒色腫、および毛様体メラノーマ（cilliary body melanoma）、および網膜芽細胞腫；腟がん、扁平上皮癌、腺癌、およびメラノーマ；外陰がん、扁平上皮癌、メラノーマ、腺癌、基底細胞癌、肉腫、およびパジェット病；子宮頸がん、扁平上皮癌、および腺癌；子宮がん、子宮内膜癌、子宮肉腫；卵巣がん、上皮性卵巣癌、境界型腫瘍、胚細胞性腫瘍、および間質性腫瘍；食道がん、扁平上皮がん、腺癌、腺様嚢胞癌、粘表皮癌、腺扁平上皮癌、肉腫、メラノーマ、形質細胞腫、疣状癌、および燕麦細胞（小細胞）癌；胃がん、腺癌、肉芽腫性（ポリープ状）、潰瘍性、表在拡大型、びまん性拡大型、悪性リンパ腫、脂肪肉腫、線維肉腫、および癌肉腫；結腸がん；直腸がん；肝臓がん、肝細胞癌および肝芽腫；胆嚢がん、腺癌；胆管癌、乳頭状癌（pappillary cancer）、結節性がん（nodular cancer）、びまん性がん（diffuse cancer）；肺がん、非小細胞肺がん、扁平上皮癌（類表皮癌）、腺癌、大細胞癌および小細胞肺がん；精巣がん、胚腫瘍（germinal tumor）、精上皮腫、未分化の、古典的（典型的）な、精母細胞性の、非精上皮腫、胎生期癌、奇形腫、絨毛癌（卵黄嚢腫瘍）、前立腺がん、前立腺上皮内腫瘍、腺癌、平滑筋肉腫、および横紋筋肉腫；陰茎がん（penal cancer）；口腔がん、扁平上皮癌；基底細胞がん（basal cancer）；唾液腺がん、腺癌、粘表皮癌、および腺様嚢胞癌；咽頭がん、扁平上皮がん、および疣状癌（verrucous）；皮膚がん、基底��胞癌、扁平上皮癌およびメラノーマ、表在拡大型黒色腫、結節性黒色腫、悪性黒子黒色腫、末端黒子型黒色腫；腎がん、腎細胞癌、腺癌、グラヴィッツ腫瘍（hypemephroma）、線維肉腫、移行上皮がん（腎盂および／または尿管（uterer））；ウィルムス腫瘍；膀胱がん、移行上皮癌、扁平上皮がん、腺癌、癌肉腫、粘液肉腫、骨原性肉腫、内皮肉腫、リンパ管内皮肉腫、中皮腫、滑膜腫、血管芽細胞腫、上皮癌、嚢胞腺癌、気管支原性癌、汗腺癌、脂腺癌、乳頭状癌および乳頭状腺癌からなる群から選択される、本発明1001の方法。
[本発明1006]
前記がんが、基底乳がん（basal breast cancer）およびＨｅｒ2陽性乳がんからなる群から選択される、本発明1001の方法。
[本発明1007]
前記ＣＣＲ5拮抗薬が、4，4−ジフルオロ−Ｎ−［（1Ｓ）−3−［（1Ｒ，5Ｓ）−3−（3−メチル−5−プロパン−2−イル−1，2，4−トリアゾール−4−イル）−8−アザビシクロ［3．2．1］オクタン−8−イル］−1−フェニルプロピル］シクロヘキサン−1−カルボキサミド（「マラビロック」）および（4，6−ジメチルピリミジン−5−イル）−［4−［（3Ｓ）−4−［（1Ｒ）−2−メトキシ−1−［4−（トリフルオロメチル）フェニル］エチル］−3−メチルピペラジン−1−イル］−4−メチルピペリジン−1−イル］メタノン（「ビクリビロック」）からなる群から選択される、本発明1002の方法。
[本発明1008]
前記ＣＣＲ5拮抗薬が、4，4−ジフルオロ−Ｎ−［（1Ｓ）−3−［（1Ｒ，5Ｓ）−3−（3−メチル−5−プロパン−2−イル−1，2，4−トリアゾール−4−イル）−8−アザビシクロ［3．2．1］オクタン−8−イル］−1−フェニルプロピル］シクロヘキサン−1−カルボキサミド（「マラビロック」）；
Ｎ−（1Ｓ）−3−3−（3−イソプロピル−5−メチル−4Ｈ−1，2，4−トリアゾール−4−イル）−エキソ−8−アザビシクロ［3．2．1］オクタ−8−イル−1−フェニルプロピルシクロブタンカルボキサミド；
Ｎ−（1Ｓ）−3−3−（3−イソプロピル−5−メチル−4Ｈ−1，2，4−トリアゾール−4−イル）−エキソ−8−アザビシクロ［3．2．1］オクタ−8−イル−1−フェニルプロピルシクロペンタンカルボキサミド；
Ｎ−（1Ｓ）−3−3−（3−イソプロピル−5−メチル−4Ｈ−1，2，4−トリアゾール−4−イル）−エキソ−8−アザビシクロ［3．2．1］オクタ−8−イル−1−フェニルプロピル−4，4，4−トリフルオロブタンアミド；
Ｎ−（1Ｓ）−3−3−（3−イソプロピル−5−メチル−4Ｈ−1，2，4−トリアゾール−4−イル）−エキソ−8−アザビシクロ［3．2．1］オクタ−8−イル−1−フェニルプロピル−4，4−ジフルオロシクロヘキサンカルボキサミド；
Ｎ−（1Ｓ）−3−3−（3−イソプロピル−5−メチル−4Ｈ−1，2，4−トリアゾール−4−イル）−エキソ−8−アザビシクロ［3．2．1］オクタ−8−イル−1−（3−フルオロフェニル）プロピル−4，4−ジフルオロシクロヘキサンカルボキサミド；およびそれらの薬剤的に許容できる塩または溶媒和化合物からなる群から選択される、本発明1002の方法。
[本発明1009]
前記ＣＣＲ5拮抗薬が、
Ｎ−｛3−［3−エキソ−（2−メチル−1Ｈ−ベンズイミダゾール−1−イル）−8−アザビシクロ［3．2．1］オクタ−8−イル］−1−フェニルプロピル｝シクロブタンカルボキサミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝シクロブタンカルボキサミド；
Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝シクロブタンカルボキサミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝テトラヒドロ−2Ｈ−ピラン−4−カルボキサミド；
1−アセチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝3−アゼチジンカルボキサミド；
1−ヒドロキシ−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝シクロペンタンカルボキサミド；
2−メチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝シクロプロパンカルボキサミド；
2−シクロプロピル−Ｎ−｛1Ｓ）−3−［3−エキソ−（2−メチル−1Ｈ−ベンズイミダゾール−1−イル）−8−アザビシクロ［3．2．1］オクタ−8−イル］−1−フェニルプロピル｝アセトアミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝テトラヒドロ−3−フランカルボキサミド；
3，3，3−トリフルオロ−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝プロパンアミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝テトラヒドロ−2−フランカルボキサミド；
1−（アセチルアミノ）−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝シクロペンタンカルボキサミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝アセトアミド；
1−メトキシ−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝シクロペンタンカルボキサミド；
1−アミノ−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝シクロペンタンカルボキサミド；
1−メチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−2−オキソ−4−ピロリジンカルボキサミド；
1−アセチル−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル）3−アゼチジンカルボキサミド；
Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝アセトアミド；
Ｎ−｛（1Ｓ）−3−［6−（2−メチル−1Ｈ−ベンズイミダゾール−1−イル）−3−アザビシクロ［3．1．0］ヘキサ−3−イル］−1−フェニルプロピル｝シクロブタンカルボキサミド；
2−シクロプロピル−Ｎ−｛（1Ｓ）−3−［3−エキソ−（3−｛4−［（メチルスルホニル）アミノ］ベンジル｝−1，2，4−オキサジアゾール−5−イル）−8−アザビシクロ［3．2．1］オクタ−8−イル］−1−フェニルプロピル｝アセトアミド；
Ｎ−｛（1Ｓ）−3−［7−エキソ−（2−メチル−1Ｈ−ベンズイミダゾール−1−イル）−3−オキサ−9−アザビシクロ［3．3．1］ノナ−9−イル］−1−フェニルプロピル｝シクロブタンカルボキサミド；
2−シクロプロピル−Ｎ−｛（1Ｓ）−3−［7−エキソ−（2−メチル−1Ｈ−ベンズイミダゾール−1−イル）−3−オキサ−9−アザビシクロ［3．3．1］ノナ−9−イル］−1−フェニルプロピル｝アセトアミド；
3，3，3−トリフルオロ−Ｎ−｛（1Ｓ）−3−［7−エキソ−（2−メチル−1Ｈ−ベンズイミダゾール−1−イル）−3−オキサ−9−アザビシクロ［3．3．1］ノナ−9−イル］−1−フェニルプロピル｝プロパンアミド；
Ｎ−｛（1Ｓ）−3−［7−エンド−（2−メチル−1Ｈ−ベンズイミダゾール−1−イル）−3−オキサ−9−アザビシクロ［3．3．1］ノナ−9−イル］−1−フェニルプロピル｝シクロブタンカルボキサミド；
2−シクロプロピル−Ｎ−｛（1Ｓ）−3−［7−エンド−（2−メチル−1Ｈ−ベンズイミダゾール−1−イル）−3−オキサ−9−アザビシクロ［3．3．1］ノナ−9−イル］−1−フェニルプロピル｝アセトアミド；
Ｎ−｛（1Ｓ）−3−［7−エキソ−（2−メチル−1Ｈ−ベンズイミダゾール−1−イル）−3−チア−9−アザビシクロ［3．3．1］ノナ−9−イル］−1−フェニルプロピル｝シクロブタンカルボキサミド；
2−シクロプロピル−Ｎ−［（1Ｓ）−3−（3−エンド−｛［2−（4−フルオロフェニル）アセチル］アミノ｝−8−アザビシクロ［3．2．1］オクタ−8−イル）−1−フェニルプロピル］アセトアミド；
Ｎ−［（1Ｓ）−3−（3−｛［3−エンド−（4−フルオロフェニル）プロパノイル］アミノ｝−8−アザビシクロ［3．2．1］オクタ−8−イル）−1−フェニルプロピル］シクロブタンカルボキサミド；
Ｎ−［（1Ｓ）−3−（3−｛［3−エキソ−（4−フルオロフェニル）プロパノイル］アミノ｝−8−アザビシクロ［3．2．1］オクタ−8−イル）−1−フェニルプロピル］シクロブタンカルボキサミド；
2−シクロプロピル−Ｎ−［（1Ｓ）−3−（3−エキソ−｛［2−（4−フルオロフェニル）アセチル］アミノ｝−8−アザビシクロ［3．2．1］オクタ−8−イル）−1−フェニルプロピル］アセトアミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル）｝1−プロピオニル−3−アゼチジンカルボキサミド；
Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝テトラヒドロ−3−フランカルボキサミド；
Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝テトラヒドロ−2Ｈ−ピラン4−カルボキサミド；
Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝テトラヒドロ−2−フランカルボキサミド；
1−アセチル−Ｎ−｛（1Ｓ）−3−［3−エンド−（1Ｈ−ベンズイミダゾール−1−イル）−8−アザビシクロ［3．2．1］オクタ−8−イル］−1−フェニルプロピル｝−3−アゼチジンカルボキサミド；
Ｎ−｛（1Ｓ）−3−［3−エンド−（1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
メチル3−［（｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝アミノ）カルボニル］−1−アゼチジンカルボン酸；
Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
1−アセチル−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝−2−アゼチジンカルボキサミド；
2−［アセチル（メチル）アミノ］−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝アセトアミド；
3−［アセチル（メチル）アミノ］−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝プロパンアミド；
2−メトキシ−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝アセトアミド；
3−メトキシ−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝プロパンアミド；
1−アセチル−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝−3−ピロリジンカルボキサミド；
1−メチル−Ｎ−｛（1Ｓ）−3−［3−エンド−（2−メチル−1Ｈ−ベンズイミダゾール−1−イル）−8−アザビシクロ［3．2．1］オクタ−8−イル］−1−フェニルプロピル｝−2−オキソ−4−ピロリジンカルボキサミド；
1−アセチル−Ｎ−｛（1Ｓ）−3−［3−エキソ−（2−エチル−1Ｈ−ベンズイミダゾール−1−イル）−8−アザビシクロ［3．2．1］オクタ−8−イル］−1−フェニルプロピル｝−3−アゼチジンカルボキサミド；
Ｎ−｛（1Ｓ）−3−［3−エキソ−（2−エチル−1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
1−アセチル−Ｎ−（（1Ｓ）−1−フェニル−3−｛3−エキソ−［2−（トリフルオロメチル）−1Ｈ−ベンズイミダゾール−1−イル］−8−アザビシクロ［3．2．1］オクタ−8−イル｝プロピル）−3−アゼチジンカルボキサミド；
Ｎ−（（1Ｓ）−1−フェニル−3−｛3−エキソ−［2−（トリフルオロメチル）−1Ｈ−ベンズイミダゾール−1−イル］−8−アザビシクロ［3．2．1］オクタ−8−イル｝プロピル）−1−プロピオニル−3−アゼチジンカルボキサミド；
Ｎ−（（1Ｓ）−1−フェニル−3−｛3−エキソ［2−（トリフルオロメチル）−1Ｈ−ベンズイミダゾール−1−イル］−8−アザビシクロ［3．2．1］オクタ−8−イル｝プロピル）アセトアミド；
2−［アセチル（メチル）アミノ］−Ｎ−（（1Ｓ）−1−フェニル−3−｛3−エキソ−［2−（トリフルオロメチル）−1Ｈ−ベンズイミダゾール−1−イル］−8−アザビシクロ［3．2．1］オクタ−8−イル｝プロピル）アセトアミド；
1−アセチル−Ｎ−｛（1Ｓ）−3−［3−エキソ−（1Ｈ−ベンズイミダゾール−1−イル）−8−アザビシクロ［3．2．1］オクタ−8−イル］−1−フェニルプロピル｝−3−アゼチジンカルボキサミド；
Ｎ（1Ｓ）−3−［3−エキソ−（1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
1−アセチル−Ｎ（1Ｓ）−3−［3−エキソ−（5−フルオロ−1Ｈ−ベンズイミダゾール−1−イル）−8−アザビシクロ［3．2．1］オクタ−8−イル］−1−フェニルプロピル）3−アゼチジンカルボキサミド；
Ｎ−｛（1Ｓ）−3−［3−エキソ−（5−フルオロ−1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
1−アセチル−Ｎ−｛（1Ｓ）−3−［3−エキソ−（5−フルオロ−2−メチル−1Ｈ−ベンズイミダゾール−1−イル）−8−アザビシクロ［3．2．1］オクタ−8−イル］−1−フェニルプロピル｝3−アゼチジンカルボキサミド；
Ｎ−｛（1Ｓ）−3−［3−エキソ−（5−フルオロ−2−メチル−1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−3−アゼチジンカルボキサミド；
1−メチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−3−アゼチジンカルボキサミド；
（2Ｓ）−1−アセチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−2−アゼチジンカルボキサミド；
（2Ｒ）−1−アセチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−2−アゼチジンカルボキサミド；
2−［アセチル（メチル）アミノ］−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝アセトアミド；
3−［アセチル（メチル）アミノ］−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝プロパンアミド；
1−アセチル−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−3−ピロリジンカルボキサミド；
Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝−1−（トリフルオロメチル）シクロプロパンカルボキサミド；
2−メトキシ−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝アセトアミド；
3−メトキシ−Ｎ−｛（1Ｓ）−3−［3−エキソ−（2−メチル−1Ｈ−ベンズイミダゾール−1−イル）−8−アザビシクロ［3．2．1］オクタ−8−イル］−1−フェニルプロピル｝プロパンアミド；
1−アセチル−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−3−アゼチジンカルボキサミド；
Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−3−アゼチジンカルボキサミド；
1−メチル−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−3−アゼチジンカルボキサミド；
Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
2−メトキシ−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝アセトアミド；
Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝アセトアミド；
3−メトキシ−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝プロパンアミド；
2−［アセチル（メチル）アミノ］−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝アセトアミド；
3−［アセチル（メチル）アミノ］−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝プロパンアミド；
Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−3−メチル−3−オキセタンカルボキサミド；
3−エチル−Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−3−オキセタンカルボキサミド；
Ｎ−｛（1Ｓ）−3−［3−エキソ−（4−フルオロ−2−メチル−1Ｈ−ベンズイミダゾール−1−イル）−8−アザビシクロ［3．2．1］オクタ−8−イル］−1−フェニルプロピル｝−3−オキセタンカルボキサミド；
3−エチル−Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−3−オキセタンカルボキサミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−3−メチル−3−オキセタンカルボキサミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−3−オキセタンカルボキサミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−3−アゼチジンカルボキサミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−1−メチル−3−アゼチジンカルボキサミド；
1−アセチル−Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−3−アゼチジンカルボキサミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−1−プロピオニル−3−アゼチジンカルボキサミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−2−メトキシアセトアミド；
Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝アセトアミド；
Ｎ｛−1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝−3−メトキシプロパンアミド；
2−［アセチル（メチル）アミノ］−Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝アセトアミド；
3−［アセチル（メチル）アミノ］−Ｎ−｛（1Ｓ）−3−［3−エキソ−（4−フルオロ−1Ｈ−ベンズイミダゾール−1−イル）−8−アザビシクロ［3．2．1］オクタ−8−イル］−1−フェニルプロピル｝プロパンアミド；およびそれらの薬剤的に許容できる塩からなる群から選択される、本発明1002の方法。
[本発明1010]
転移が、肝臓、脳、膀胱、肺、副腎、腎臓、骨およびそれらの組み合わせからなる群から選択される器官、またはそれ以上の器官における腫瘍転移である、本発明1004の方法。
[本発明1011]
ＣＣＲ5拮抗薬ががんに対する他の療法に付随してまたは同時に投与される、本発明1002の方法。
[本発明1012]
ＣＣＲ5拮抗薬が他の補助療法と同時にまたは他の補助療法の後に投与される、本発明1002の方法。
[本発明1013]
ＣＣＲ5受容体拮抗薬が、がんを有する対象の予後を改善する、本発明1002の方法。
[本発明1014]
ＣＣＲ5受容体拮抗薬が、治療中のがんの転移を阻止することでがん治療の臨床転帰の改善に寄与することにより、付随してまたは同時に投与されたがん治療の治療効果を向上させる、本発明1002の方法。
【図面の簡単な説明】
【０００８】
上記概要、並びに本発明の他の特徴、態様、および利点、並びに以下の本発明の実施形態の発明を実施するための形態は、添付の特許請求の範囲および添付の好ましい実施形態の図面と併せて読むと、より良く理解される。
【図１Ａ】図１Ａは、遺伝子発現パターンに基づき分子サブタイプ（ルミナールＡ、ルミナールＢ、基底、正常様、およびＨｅｒ−２）によって分類される乳がんを有する患者から得られた試料における、ＣＣＬ５およびその受容体ＣＣＲ５の発現のヒートマップを示している。
【図１Ｂ】図１Ｂ１〜１Ｂ５は、乳がん分子サブタイプの、ルミナールＡ、ルミナールＢ、基底、正常様、およびＨｅｒ−２の間のＣＣＬ５およびＣＣＲ５の発現の散布図および相関分析（スチューデントｔ検定）を示している。
【図１Ｃ】図１Ｃは、ＣＣＬ５およびＣＣＲ５を過剰発現している乳がん試料の割合の定量化を示しており、棒グラフの分数は、図Ｂに示される散布図の右上象限を表している。
【図１Ｄ】図１Ｄは、本願の材料および方法のセクションに記載される解析データベースにおける、異なる分子サブタイプの乳がんの無転移カプラン・マイヤープロットおよびログランク解析を示している。
【図２Ａ】図２Ａは、ＭＤＡ−ＭＢ−２３１乳がん細胞におけるＣＣＲ５発現のフローサイトメトリーヒストグラムにより、ＣＣＲ５＋細胞亜集団が同定されたことを示している。
【図２Ｂ】図２Ｂ１および２Ｂ２は、Ｆｌｕｏ−４−ＡＭを加え、その後ＣＣＬ５（６０μｇ／ｍＬ）およびＦＢＳ（５％）を逐次添加した細胞における、カルシウムシグナル伝達の誘導を示している。
【図２Ｃ】図２Ｃは、ＣＣＬ５（１５μｇ／ｍＬ）を化学誘引物質として用いた乳がん細胞系によるコラーゲンゲルへの３次元浸潤を示している。
【図２Ｄ】図２Ｄは、３つの独立した実験から得られた浸潤の平均距離±ＳＥＭを示している。
【図２Ｅ】図２Ｅは、ＭＣＦ−１０Ａ細胞並びにＭＣＦ−１０Ａ−ＮｅｕＴ、ＭＣＦ−１０Ａ−Ｒａｓ、およびＭＣＦ−１０Ａ−Ｓｒｃ誘導体の３次元浸潤アッセイを示しており、これらはＣＣＬ５誘導性浸潤が発癌性形質転換によって活性化されることを示している。
【図２Ｆ】図２Ｆは、図２Ｅに示される、ＣＣＬ５誘導性浸潤が発癌性形質転換によって活性化されることを示している、ＭＣＦ−１０Ａ細胞並びにＭＣＦ−１０Ａ−ＮｅｕＴ、ＭＣＦ−１０Ａ−Ｒａｓ、およびＭＣＦ−１０Ａ−Ｓｒｃ誘導体の３次元浸潤アッセイの定量化（Ｆ、平均値±ＳＥＭ、ｎ＝３）を示している。
【図２Ｇ】図２Ｇは、ＦＡＣＳによって単離されたＳＵＭ−１５９細胞株由来のＣＣＲ５＋およびＣＣＲ５−亜集団、並びに、ウシ胎児血清（ＦＢＳ）を化学誘引物質として用いて評価された、コラーゲンゲルへのそれらの浸潤を示している。
【図２Ｈ】図２Ｈは、ＣＣＲ５＋およびＣＣＲ５−亜集団のコラーゲンへの浸潤の定量化を、図２Ｇに示される２つの独立した実験の平均値±ＳＥＭとして示している。
【図３Ａ】図３Ａ１〜３Ａ４は、ＣＣＲ５拮抗薬であるマラビロックまたはビクリビロック（１００ｎｍｏｌ／Ｌ）で３０分間処置され、その後ＣＣＬ５（６０μｇ／ｍＬ）を添加された、Ｆｌｕｏ−４ＡＭを加えたＭＤＡ−ＭＢ−２３１細胞の強度−時間解析を示している。
【図３Ｂ】図３Ｂは、ＣＣＬ５の添加時に蛍光強度が増加した細胞の割合の比較を示している。
【図３Ｃ】図３Ｃ１〜３Ｃ４は、Ｈｓ５７８Ｔ細胞においてＣＣＲ５拮抗薬によって遮断されたＣＣＬ５誘導性カルシウムシグナル伝達を示している。
【図３Ｄ】図３Ｄは、図３Ａ〜３Ｃに示される３〜４つの独立した実験の定量化（平均値±ＳＥＭ）を示している。
【図４Ａ】図４Ａは、ＣＣＲ５拮抗薬（１００ｎｍｏｌ／Ｌ）存在下における、Ｈｓ５７８Ｔ乳がん細胞によるコラーゲンゲルへのＦＢＳ誘導性浸潤の３次元再構築を示している。
【図４Ｂ】図４Ｂは、図４Ａに示される、Ｈｓ５７８Ｔ乳がん細胞によるコラーゲンゲルへのＦＢＳ誘導性浸潤の定量化（平均値±ＳＥＭ、ｎ＝３）および解析（ボンフェローニｔ検定）を示している。
【図４Ｃ】図４Ｃは、ＣＣＲ５拮抗薬（１００ｎｍｏｌ／Ｌ）存在下でのＳＵＭ−１５９乳がん細胞によるコラーゲンゲルへのＦＢＳ誘導性浸潤の３次元再構築を示している。
【図４Ｄ】図４Ｄは、図４Ａに示される、ＳＵＭ−１５９乳がん細胞によるコラーゲンゲルへのＦＢＳ誘導性浸潤の定量化（平均値±ＳＥＭ、ｎ＝３）および解析（ボンフェローニｔ検定）を示している。
【図５Ａ】図５Ａは、非肥満性糖尿病（ＮＯＤ）／重症複合免疫不全（ＳＣＩＤ）マウス（以下ではＮＯＤ／ＳＣＩＤマウスと省略）のビヒクル処置またはマラビロック処置（１２時間ごとに８ｍｇ／ｋｇ）の例示的なインビボ生物発光画像（ＢＬＩ）を示している。
【図５Ｂ】図５Ｂは、対照群（ビヒクル処置ＮＯＤ／ＳＣＩＤマウス、赤線／四角）および処置群（マラビロック処置ＮＯＤ／ＳＣＩＤマウス、青線／三角）におけるインビボ生物発光画像（ＢＬＩ）の定量化（平均値±ＳＥＭ、ｎ＝６）を示している。
【図５Ｃ】図５Ｃ１および５Ｃ２は、エキソビボイメージング（左）および墨汁染色（右）によって実証された、肺腫瘍の存在および処置間の差異を示している。
【図５Ｄ】図５Ｄは、転移性腫瘍を有するマウスの割合を示しており、対照群において有意により大きかった（Ｐ＜０．０００１、フィッシャーの直接確率検定）。
【図５Ｅ】図５Ｅは、肺のスライドにおける転移性腫瘍で覆われた領域の組織学的解析（ヘマトキシリン＆エオシン染色、１００倍）を示している。
【図５Ｆ】図５Ｆは、図５Ｅに示される肺のスライドにおける転移性腫瘍で覆われた領域の定量化を示している。
【図６Ａ】図６Ａは、乳がん細胞の生存率に対するＣＣＲ５拮抗薬の影響を示している。ＭＤＡ−ＭＢ−２３１細胞を漸増する濃度のマラビロック（逆三角形）またはビクリビロック（四角）に４８時間暴露し、細胞生存率をＭＴＴアッセイで評価した。
【図６Ｂ】図６Ｂは、ｐｃＤＮＡ３．１＋／Ｚｅｏ＋（ＭＤＡ．ベクター）またはｐＣＤＮＡ３＋Ｚｅｏ＋にクローニングされたヒトＣＣＲ５（ＭＤＡ．ＣＣＲ５）を安定的に形質移入されたＭＤＡ−ＭＢ−２３１細胞におけるＣＣＲ５発現を示している、フローサイトメトリー分析を示している。
【図６Ｃ】図６Ｃは、ＭＤＡ．ベクターおよびＭＤＡ．ＣＣＲ５におけるＭＤＡ−ＭＢ−２３１のインビトロでの増殖速度の比較を示している。
【図６Ｄ】図６Ｄは、マウスにおける確立した転移の成長に対するマラビロックのインビボでの影響の評価を示しており、図示されているように、マウスの処置はＭＤＡ．ｐＦＵＬＧ細胞の注入の１０日後に開始され、治療の有効性を評価するためのマウスのインビボ生物発光画像法（ＢＬＩ）は、０、１０、１７、２４、３１および３８日目に開始された。
【図６Ｅ】図６Ｅは、対照（赤／四角）および処置群（青／三角）におけるインビボでのＢＬＩの定量化（平均値±ＳＥＭ、ｎ＝５）が、成長速度において差を示さなかったことを示している。
【図６Ｆ】図６Ｆは、ＭＤＡ−ＭＢ−２３１細胞による肺コロニー形成でのＣＣＲ５の役割を評価するために用いられた実験計画のスキームを示している。
【図６Ｇ】図６Ｇは、マウスにＭＤＡ．ｐＦＵＬＧ細胞を注入してから２４時間後の、マウスの肺におけるｅＧＦＰ＋細胞の例示的な共焦点像を示しており、ｅＧＦＰを発現している細胞は、マウス（ｎ＝５マウス／群）ごとの２つの異なる組織切片の（互いに７００μｍ隔てられた）３つの無作為視野においてカウントされた。
【図６Ｈ】図６Ｈは、マウスにＭＤＡ．ｐＦＵＬＧ細胞を注入してから２４時間後の、マウスの肺におけるｅＧＦＰ＋細胞の数の定量化（Ｈ）を示しており、ｅＧＦＰを発現している細胞は、マウス（ｎ＝５マウス／群）ごとの２つの異なる組織切片の（互いに７００μｍ隔てられた）３つの無作為視野においてカウントされた。
【図７Ａ】図７Ａは、ＣＣＲ５およびＣＣＬ５の富化に関連する遺伝子発現シグナル経路を決定するための、腫瘍試料のＫＥＧＧおよびＧＯを用いたＧＳＥＡ解析を示しており、試験された乳がんデータセットにおける遺伝子は、最も高い２．５％ＣＣＬ５／ＣＣＲ５発現試料および最も低い（２．５％）ＣＣＬ５／ＣＣＲ５発現試料（Ｎ＝５４）におけるそれらの発現差異を表す信号対雑音計量によって分類され、色の勾配で示されており、赤色はＣＣＬ５／ＣＣＲ５発現との正相関を示しており、青色はＣＣＬ５／ＣＣＲ５発現との逆相関を示している。
【図７Ｂ】図７Ｂ１〜７Ｂ５は、図１Ａに示される一連の２２５０例のヒト乳がんデータから得られた、乳がん分子サブタイプ間の、ＣＣＲ１およびＣＣＲ５の発現の散布図およびスチューデントｔ検定を用いた相関分析を示している。
【図７Ｃ】図７Ｃ１〜７Ｃ５は、図１Ａに示される一連の２２５０例のヒト乳がんデータから得られた、乳がん分子サブタイプ間の、ＣＣＲ３およびＣＣＬ５の発現の散布図および相関分析を示している。
【図７Ｄ】図７Ｄ１および７Ｄ２は、最も高いレベルのＣＣＲ５（５０％より上）および対するより低いレベルのＣＣＲ５発現（下位５０％）について富化された乳がん試料を有する患者の、カプラン・マイヤー曲線を示している。
【図８】図８Ａは、正常集団における、ＣＣＬ５発現並びにその受容体であるＣＣＲ５、ＣＣＲ１およびＣＣＲ３のヒートマップを図示している。図８Ｂは、正常集団間の、ＣＣＬ５発現並びにその受容体であるＣＣＲ５、ＣＣＲ１およびＣＣＲ３の相互相関を表すヒートマップを図示している。図８Ｃおよび８Ｄは、乳がん２５５０例の集団から得られた乳がん患者間の、ＣＣＬ５発現並びにその受容体であるＣＣＲ５、ＣＣＲ１およびＣＣＲ３の相互相関を表すヒートマップを図示している。
【図９Ａ】図９Ａは、ＣＣＲ５に対するアロフィコシアニン（ＡＰＣ）標識抗体を安定的に形質移入されたＨＳ５７８Ｔ細胞におけるＣＣＲ５発現のフローサイトメトリープロットを示している。
【図９Ｂ】図９Ｂ１および９Ｂ２は、Ｆｌｕｏ−４−ＡＭを加えた後にＣＣＬ５（６０μｇ／ｍＬ）およびウシ胎児血清（ＦＢＳ）（５％）を逐次添加したＨＳ５７８Ｔ細胞におけるカルシウムシグナル伝達の誘導を示しており、ＲＦＩは相対蛍光強度を表している。赤色は、ＣＣＬ５リガンドの添加には応答しなかったがＦＢＳ（ウシ胎児血清）には応答する細胞の領域をトレースしており、緑線はＣＣＬ５の添加に応答し、ＦＢＳにも応答する細胞のトレースである。このデータは、ＭＤＡ−ＭＢ−２３１細胞が、いくつかの細胞がその受容体を有していてＣＣＬ５−に応答し、いくつかの細胞がＣＣＲ５受容体を有しておらずそのリガンドであるＣＣＬ５に応答しない、細胞集団であることを示している。
【図９Ｃ】図９Ｃは、ＣＣＲ５に対するアロフィコシアニン（ＡＰＣ）標識抗体を安定的に形質移入されたＳＵＭ１５９細胞におけるＣＣＲ５発現のフローサイトメトリープロットを示している。
【図９Ｄ】図９Ｄ１および９Ｄ２は、Ｆｌｕｏ−４−ＡＭを加えた後にＣＣＬ５（６０μｇ／ｍＬ）およびウシ胎児血清（ＦＢＳ）（５％）を逐次添加したＳＵＭ１５９細胞におけるカルシウムシグナル伝達の誘導を示しており、ＲＦＩは相対蛍光強度を表している。赤色は、ＣＣＬ５リガンドの添加には応答しなかったがＦＢＳ（ウシ胎児血清）には応答する細胞の領域をトレースしており、緑線はＣＣＬ５の添加に応答し、ＦＢＳにも応答する細胞のトレースである。このデータは、ＳＵＭ−１５９細胞が、いくつかの細胞がその受容体を有していてＣＣＬ５−に応答し、いくつかの細胞がＣＣＲ５受容体を有しておらずそのリガンドであるＣＣＬ５に応答しない、細胞集団であることを示している。
【図１０Ａ】図１０Ａ１および１０Ａ２は、ＳＵＭ１５９−ベクター対照細胞またはＣＣＲ５受容体を安定に過剰発現するＳＵＭ１５９細胞におけるＣＣＲ５受容体の存在量の蛍光標識細胞分取（ＦＡＣＳ）解析を示している。ＣＣＲ５に対するＡＰＣ標識抗体を用いて、ＣＣＲ５陽性細胞を追跡した。
【図１０Ｂ】図１０Ｂは、カルシウムシグナル伝達誘導のスケジュールの略図を示しており、その中で、ＣＣＬ５はＳＵＭ１５９−ベクター対照細胞またはＣＣＲ５受容体を安定に過剰発現するＳＵＭ１５９細胞に６０秒の時点で添加され、ＦＢＳは３２０秒の時点で添加される。
【図１０Ｃ】図１０Ｃは、Ｆｌｕｏ−４−ＡＭを加えた後およびそれと同時にＣＣＬ５またはＦＢＳを添加したＳＵＭ１５９−ベクター対照細胞における、カルシウムシグナル伝達の誘導（ＦＢＳと比較した、ＣＣＬ５に対するＣａ＋２応答）を示している。
【図１０Ｄ】図１０Ｄは、ＳＵＭ１５９−ベクター対照細胞の集団の平均蛍光を示している。
【図１０Ｅ】図１０Ｅは、６０秒の時点において、ＣＣＲ５受容体を安定に過剰発現するＳＵＭ１５９細胞におけるカルシウムシグナル伝達の誘導（ＦＢＳと比較した、ＣＣＬ５に対するＣａ＋２応答）を示しており、ＦＢＳは３２０秒の時点で添加される。
【図１０Ｆ】図１０Ｆは、ＳＵＭ１５９−ＣＣＲ５細胞の集団の平均蛍光を示している。
【図１１Ａ】図１１Ａは、肺転移性腫瘍の死前の輝度（radiance antemortem）が肺に対する腫瘍量の代替測定として用いられる、マラビロック処置ＮＯＤ／ＳＣＩＤマウスに対して５週間行われた毎週のＢＬＩの定量化結果によって証明された、マラビロックがＭＤＡ−ＭＢ−２３１乳がんの肺転移負荷量を低減するという事実を示している（図５Ｂの通り）。
【図１１Ｂ】図１１Ｂは、肺転移性腫瘍の死前の輝度（radiance antemortem）が腫瘍量の代替測定として用いられる、ビヒクル処置ＮＯＤ／ＳＣＩＤマウスに対して５週間行われた毎週のＢＬＩの結果を示す定量化によって証明された、マラビロックがＭＤＡ−ＭＢ−２３１乳がんの肺転移負荷量を低減するという事実を示している。
【図１２】図１２Ａ〜１２Ｆは、ＭＤＡ．ｐＦＵＬＧ細胞の尾静脈注射によって生じた転移性腫瘍への、ＣＣＲ５＋細胞の割合のＦＡＣＳ解析によって証明された、肺腫瘍がＣＣＲ５＋４細胞において富化されているという事実を示している。培養液中のｅＧＦＰ＋ＭＤＡ．ｐＦＵＬＧ細胞内のＣＣＲ５＋細胞の割合（図１２Ａ）を、転移性腫瘍から単離された細胞のそれ（図１２Ｂ）と比較した。データの解析（図１２Ｃ）により、腫瘍内のＣＣＲ５＋画分において８倍の増加が示された（平均値±ＳＥＭ、ｎ＝６；スチューデントｔ検定）。
【図１３Ａ】図１３Ａ１〜１３Ａ５は、ＦＡＣＳ解析による、細胞株ＭＤＡ−ＭＢ−２３、ＨＳ５７８Ｔ、ＳＵＭ１５９、ＭＣＦ−７、ジャーカット細胞における、ＣＣＲ１タンパク質の細胞表面発現を示している。
【図１３Ｂ】図１３Ｂ１〜１３Ｂ５は、ＦＡＣＳ解析による、細胞株ＭＤＡ−ＭＢ−２３、ＨＳ５７８Ｔ、ＳＵＭ１５９、ＭＣＦ−７、ジャーカット細胞における、ＣＣＲ３タンパク質の細胞表面発現を示している。
【図１３Ｃ】図１３Ｃ１〜１３Ｃ５は、ＦＡＣＳ解析による、細胞株ＭＤＡ−ＭＢ−２３、ＨＳ５７８Ｔ、ＳＵＭ１５９、ＭＣＦ−７、ジャーカット細胞における、ＣＣＲ５タンパク質の細胞表面発現を示している。
【図１３Ｄ】図１３Ｄは、ＦＡＣＳ解析で測定された、細胞株ＭＤＡ−ＭＢ−２３、ＨＳ５７８Ｔ、ＳＵＭ１５９、ＭＣＦ−７、ジャーカット細胞の、ＣＣＲ１、ＣＣＲ３およびＣＣＲ５の細胞表面発現の相対的存在量を示している。
【図１４Ａ】図１４Ａは、乳がん組織におけるＣＣＲ５の免疫組織化学染色を示しており、正常乳房組織と比較して、染色が乳がん上皮細胞に主に局在化していたことを示している。
【図１４Ｂ】図１４Ｂは、正常乳房組織におけるＣＣＲ５の染色が非常に低度であることを示す、正常乳房組織におけるＣＣＲ５の免疫組織化学染色を示しており、これは、乳腺腫瘍と比較した場合の、正常乳房におけるＣＣＲ５の欠如を示している。
【図１４Ｃ】図１４Ｃは、乳がん組織におけるＣＣＲ５の免疫組織化学染色を示しており、正常乳房組織と比較して、ＣＣＲ５免疫組織化学染色が乳がん上皮細胞に主に局在化していることを示している。
【図１４Ｄ】図１４Ｄは、正常乳房組織におけるＣＣＲ５の免疫組織化学染色を示しており、乳腺腫瘍と比較した場合の、（図１４Ｂに示される異なる患者の）正常乳房組織におけるＣＣＲ５の欠如を示している。
【発明を実施するための形態】
【０００９】
ランテス（ＲＡＮＴＥＳ）（Ｒｅｇｕｌａｔｅｄ  ｏｎ  Ａｃｔｉｖａｔｉｏｎ，  Ｎｏｒｍａｌ  Ｔ  ｃｅｌｌ  Ｅｘｐｒｅｓｓｅｄ  ａｎｄ  Ｓｅｃｒｅｔｅｄの頭字語）としても知られている、ケモカイン（Ｃ−Ｃモチーフ）リガンド５（「ＣＣＬ５」）は、ヒトにおいて、ＣＣＬ５遺伝子にコードされるタンパク質である。その受容体である、Ｃ−Ｃケモカイン受容体５型（「ＣＣＲ５」または「ＣＤ１９５」）は、白血球上に存在するタンパク質である。ＣＣＲ５は、ヒト免疫不全ウイルス１型（ＨＩＶ−１）およびＨＩＶ−２のマクロファージ（Ｍ）向性株によって利用される主な補助受容体であり、ウイルス伝播に関与している。従って、ＣＣＲ５はＨＩＶ病因において重要な役割を担っている。ＭＩＰ−１α、ＭＩＰ−１β、ランテス、ＭＣＰ−２、およびＨＣＣ−１［９−７４］を含むいくつかの炎症性ＣＣケモカインは、ＣＣＲ５作動薬として作用し、一方、ＭＣＰ−３は、該受容体の天然の拮抗薬である。ＣＣＲ５は、記憶Ｔ細胞、マクロファージ、および未成熟樹状細胞において主に発現され、炎症誘発性サイトカインによって発現増加される。
【００１０】
ＨＩＶに対して活性を有する抗レトロウイルス薬剤のクラスには、ヌクレオシド類似体、非ヌクレオシド系逆転写酵素阻害剤、プロテアーゼ阻害剤、融合阻害剤、インテグラーゼ阻害剤、およびＣＣＲ５受容体拮抗薬が含まれる。ＣＣＲ５拮抗薬は、ＣＣＲ５向性ウイルスのＣＤ４Ｔ細胞への侵入を阻止することにより、ＨＩＶに対するそれらの抗ウイルス活性を発現する。結果として、ＣＣＲ５拮抗薬は、これまで、免疫系の炎症性細胞における発現と関連するのみであった。
【００１１】
本開示より前に、ケモカインＣＣＬ５およびその受容体ＣＣＲ５のがんの進行における役割は不明であった。本明細書に開示されるように、ＣＣＬ５およびその受容体ＣＣＲ５を発現するがんを有する患者によって、新規の薬物標的が提供される。本明細書に開示されるように、ＣＣＬ５およびその受容体ＣＣＲ５に関するそれらの活性を遮断する薬剤を用いる、ＣＣＬ５およびその受容体ＣＣＲ５を発現したがんの治療は、変異型ケモカインＣＣＬ５およびその受容体ＣＣＲ５を発現するこれらのがん細胞に選択的に影響を及ぼす。一実施形態では、ヒト乳がん細胞系の亜集団が、ＣＣＬ５に対し機能的反応を示したＣＣＲ５を発現することが分かった。
【００１２】
２，２５４個のヒト乳がん試料に対して行われたマイクロアレイ解析により、基底およびＨＥＲ−２遺伝子サブタイプにおいて、ＣＣＬ５およびその受容体ＣＣＲ５の発現増加が見出されたが、ＣＣＲ３の発現増加は見出されなかった。ＣＣＲ５を発現することが見出されたヒト乳がん細胞系の亜集団は、ＣＣＬ５に対し機能的反応を示した。また、癌遺伝子形質転換によってＣＣＲ５発現が誘導され、機能的ＣＣＲ５を発現したがん細胞の亜集団は浸潤性の増加も示した。
【００１３】
一実施形態では、ＣＣＲ５ＨＩＶ補助受容体機能を遮断するために初期に開発されたＣＣＲ５拮抗薬は、インビトロにおいて、細胞の増殖または生存率に影響を与えることなく、がん細胞の浸潤を低減した。一実施形態では、ＣＣＲ５拮抗薬には、マラビロックおよびビクリビロックが含まれる。一実施形態では、機能的ＣＣＲ５を発現したがん細胞の亜集団には、基底乳がん細胞が含まれる。一実施形態では、ＣＣＲ５拮抗薬には、インビトロにおいて、基底細胞がんの細胞増殖または生存率に影響を与えることなく基底細胞がん細胞の浸潤を低減した、マラビロックおよびビクリビロックが含まれる。一実施形態では、ＣＣＲ５拮抗薬には、インビボにおいて、基底細胞がんの細胞増殖または生存率に影響を与えることなく基底細胞がん細胞の浸潤を低減した、マラビロックおよびビクリビロックが含まれる。
【００１４】
しかし、本明細書に開示されるように、ＣＣＬ５およびその受容体ＣＣＲ５は、乳がん細胞を含むがん細胞において発現されることが分かり、また、原発部位から身体内の他の部位（例えば、脳、肝臓、肺）へのがんの拡散である、がん転移を制御していることも分かった。さらに、マラビロックおよびビクリビロック等のＣＣＲ５拮抗薬によるＣＣＲ５受容体の遮断によって、がんの原発部位から身体内の他の部位への遊走および拡散が阻止されたことが分かった。
【００１５】
本明細書に記載されるように、ＣＣＲ５およびＣＣＬ５は、がんの浸潤性において重要な役割を担っていることが分かった。例えば、ＣＣＲ５拮抗薬は、ＣＣＬ５および／またはその受容体ＣＣＲ５を発現するがんによる身体内の二次部位の浸潤を減速および／または阻止することが示されたが、このことは、ＣＣＬ５および／またはその受容体ＣＣＲ５を発現する基底乳がん分子サブタイプを有する患者を含む、がん患者における転移のリスクを減少させるための実行可能な補助療法としてのＣＣＲ５拮抗薬の有用性を示している。
【００１６】
細胞受容体の状態により、がん患者が特定の抗がん治療に影響を受け易いか否かを決定することができる。例えば、アンドロゲンもしくはエストロゲン受容体またはＨＥＲ−２を発現しない基底乳がんサブタイプと診断された患者において、化学療法、放射線照射、または外科手術を含む現在の治療選択は、これらの患者にとっての唯一の選択肢であるだけでなく、その全てがこれらの患者に対して転帰不良を示している。現在これらの患者に利用可能な他の有効な療法が存在しないという事実にもかかわらず、この基底乳がん変種を有する患者は、さらに、この基底乳がん変種が典型的に転移にも関連しているという事実によっても不利な立場にある。新規のがん治療は、これらの患者にとっての、がん無再発生存の唯一の望みを提供するものである。従って、基底乳がんサブタイプに対する特異的標的化療法の差し迫った必要がある。
【００１７】
一態様において、本発明は、新生物または新生物転移を治療、予防、または管理するためのＣＣＲ５修飾薬の使用に関する。一実施形態では、新生物はがんである。本発明の方法の好ましい実施形態に従って治療、予防、または管理することができる例示的ながんおよび関連する障害としては、限定はされないが、白血病、例えば、限定はされないが、急性白血病、急性リンパ性白血病、急性骨髄球性白血病、例えば、骨髄芽球性白血病、前骨髄球性白血病、骨髄単球性白血病、単球性白血病、および赤白血病（erythroleukemia leukemia）および骨髄異形成症候群；慢性白血病、例えば、限定はされないが、慢性骨髄性（顆粒球性）白血病、慢性リンパ球性白血病、毛様細胞性白血病；真性赤血球増加症；リンパ腫、例えば、限定はされないが、ホジキン病、非ホジキン病；多発性骨髄腫、例えば、限定はされないが、くすぶり型多発性骨髄腫、非分泌性骨髄腫、骨硬化性骨髄腫、形質細胞性白血病、孤立性形質細胞腫および髄外性形質細胞腫；ワルデンストロームマクログロブリン血症；意味未確定の単クローン性高γグロブリン血症；良性単クローン性高γグロブリン血症；重鎖病；骨および結合組織肉腫、例えば、限定はされないが、骨肉腫、骨肉腫、軟骨肉腫、ユーイング肉腫、悪性巨細胞腫、骨線維肉腫、脊索腫、骨膜性肉腫、軟部組織肉腫、血管肉腫（angiosarcoma, hemangiosarcoma）、線維肉腫、カポジ肉腫、平滑筋肉腫、脂肪肉腫、リンパ管肉腫、神経鞘腫、横紋筋肉腫、滑膜肉腫；脳腫瘍、例えば、限定はされないが、神経膠腫、星状細胞腫、脳幹神経膠腫、上衣腫、乏突起膠腫、非神経膠腫瘍（nonglial tumor）、聴神経鞘腫、頭蓋咽頭腫、髄芽腫、髄膜腫、松果体腫、松果体芽腫、原発性脳リンパ腫；乳がん、例えば、限定はされないが、腺管癌、腺癌、小葉（小細胞）癌、腺管内癌、乳腺髄様がん、乳粘液性がん、乳管がん、乳頭状乳がん、パジェット病、および炎症性乳がん；副腎がん、例えば、限定はされないが、褐色細胞腫および副腎皮質癌；甲状腺がん、例えば、限定はされないが、乳頭様甲状腺がんまたは濾胞性甲状腺がん、甲状腺髄様がんおよび組織非形成性甲状腺がん；膵がん、例えば、限定はされないが、インスリノーマ、ガストリノーマ、グルカゴノーマ、ビポーマ、ソマトスタチン分泌腫瘍、およびカルチノイドまたは島細胞腫瘍；例えば、クッシング病、プロラクチン分泌腫瘍、先端巨大症、および尿崩症（diabetes insipius）に限定される、下垂体がん；眼がん、例えば、限定はされないが、眼メラノーマ、例えば、虹彩黒色腫、脈絡膜黒色腫、および毛様体メラノーマ（cilliary body melanoma）、および網膜芽細胞腫；腟がん、例えば、扁平上皮癌、腺癌、およびメラノーマ；外陰がん、例えば、扁平上皮癌、メラノーマ、腺癌、基底細胞癌、肉腫、およびパジェット病；子宮頸がん、例えば、限定はされないが、扁平上皮癌、および腺癌；子宮がん、例えば、限定はされないが、子宮内膜癌および子宮肉腫；卵巣がん、例えば、限定はされないが、上皮性卵巣癌、境界型腫瘍、胚細胞性腫瘍、および間質性腫瘍；食道がん、例えば、限定はされないが、扁平上皮がん、腺癌、腺様嚢胞癌、粘表皮癌、腺扁平上皮癌、肉腫、メラノーマ、形質細胞腫、疣状癌、および燕麦細胞（小細胞）癌；胃がん、例えば、限定���されないが、腺癌、肉芽腫性（ポリープ状）、潰瘍性、表在拡大型、びまん性拡大型、悪性リンパ腫、脂肪肉腫、線維肉腫、および癌肉腫；結腸がん；直腸がん；肝臓がん、例えば、限定はされないが、肝細胞癌および肝芽腫；胆嚢がん、例えば、腺癌；胆管癌、例えば、限定はされないが、乳頭状（pappillary）、結節性、およびびまん性胆管癌；肺がん、例えば、非小細胞肺がん、扁平上皮癌（類表皮癌）、腺癌、大細胞癌および小細胞肺がん；精巣がん、例えば、限定はされないが、胚腫瘍（germinal tumor）、精上皮腫、未分化の、古典的（典型的）な、精母細胞性、非精上皮腫、胎生期癌、奇形腫、絨毛癌（卵黄嚢腫瘍）、前立腺がん、例えば、限定はされないが、前立腺上皮内腫瘍、腺癌、平滑筋肉腫、および横紋筋肉腫；陰茎がん（penal cancer）；口腔がん、例えば、限定はされないが、扁平上皮癌；基底細胞がん（basal cancer）；唾液腺がん、例えば、限定はされないが、腺癌、粘表皮癌、および腺様嚢胞癌；咽頭がん、例えば、限定はされないが、扁平上皮がん、および疣状癌（verrucous）；皮膚がん、例えば、限定はされないが、基底細胞癌、扁平上皮癌およびメラノーマ、表在拡大型黒色腫、結節性黒色腫、悪性黒子黒色腫、末端黒子型黒色腫；腎がん、例えば、限定はされないが、腎細胞癌、腺癌、グラヴィッツ腫瘍（hypemephroma）、線維肉腫、移行上皮がん（腎盂および／または尿管（uterer））；ウィルムス腫瘍；膀胱がん、例えば、限定はされないが、移行上皮癌、扁平上皮がん、腺癌、癌肉腫が挙げられる。さらに、がんには、粘液肉腫、骨原性肉腫、内皮肉腫、リンパ管内皮肉腫、中皮腫、滑膜腫、血管芽細胞腫、上皮癌、嚢胞腺癌、気管支原性癌、汗腺癌、脂腺癌、乳頭状癌および乳頭状腺癌が含まれる。
【００１８】
一実施形態では、ＣＣＲ５の拮抗薬は、ＣＣＲ５発現新生物またはＣＣＲ５発現新生物の転移を治療するのに用いられる。一実施形態では、ＣＣＲ５の拮抗薬は、新生物または前記新生物の転移を予防するのに用いられる。一実施形態では、ＣＣＲ５の拮抗薬は、前記新生物の新生物転移を管理するために用いられる。一実施形態では、ＣＣＲ５の拮抗薬は、ＣＣＲ５発現新生物またはＣＣＲ５発現新生物の転移の進行を緩徐化するために用いられる。一実施形態では、ＣＣＲ５の拮抗薬は、ＣＣＲ５発現新生物の転移を遅延させるために用いられる。
【００１９】
一実施形態では、例示的な本発明の方法に従った使用に適したＣＣＲ５の拮抗薬としては、限定はされないが、Perros et alによる、米国特許第６，６６７，３１４号に記載される化学物質が挙げられる。Perros et al.の化学物質並びにそれらを含む全ての製剤および剤形は、参照によって本出願に組み込まれている。Perros et al.による化合物の好ましい例としては、
４，４−ジフルオロ−Ｎ−［（１Ｓ）−３−［（１Ｒ，５Ｓ）−３−（３−メチル−５−プロパン−２−イル−１，２，４−トリアゾール−４−イル）−８−アザビシクロ［３．２．１］オクタン−８−イル］−１−フェニルプロピル］シクロヘキサン−１−カルボキサミド（「マラビロック」）；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピルシクロブタンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピルシクロペンタンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピル−４，４，４−トリフルオロブタンアミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピル−４，４−ジフルオロシクロヘキサンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−（３−フルオロフェニル）プロピル−４，４−ジフルオロシクロヘキサンカルボキサミド；
およびそれらの薬剤的に許容できる塩または溶媒和化合物が挙げられる。
【００２０】
一実施形態では、新生物もしくは前記新生物の転移の治療；または新生物もしくは前記新生物の転移の予防；または前記新生物の新生物転移の管理；または新生物もしくは前記新生物の転移の進行の緩徐化；または新生物もしくは前記新生物の転移の遅延に適したＣＣＲ５受容体の修飾薬としては、限定はされないが、Armour et alによる、米国特許第６，５８６，４３０号に記載される化学物質が挙げられる。Armour et al.の化学物質およびそれらを含む全ての製剤または剤形は、参照によって本出願に組み込まれている。Armour et al.による化合物の好ましい例としては、
Ｎ−｛３−［３−エキソ−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−２Ｈ−ピラン−４−カルボキサミド；
１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝３−アゼチジンカルボキサミド；
１−ヒドロキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
２−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロプロパンカルボキサミド；
２−シクロプロピル−Ｎ−｛１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−３−フランカルボキサミド；
３，３，３−トリフルオロ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−２−フランカルボキサミド；
１−（アセチルアミノ）−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
１−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
１−アミノ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
１−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−オキソ−４−ピロリジンカルボキサミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル）３−アゼチジンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［６−（２−メチル−１Ｈ−ベンズイミダゾール−１−イル）−３−アザビシクロ［３．１．０］ヘキサ−３−イル］−１−フェニルプロピル｝シクロブタンカルボキサミド；
２−シクロプロピル−Ｎ−｛（１Ｓ）−３−［３−エキソ−（３−｛４−［（メチルスルホニル）アミノ］ベンジル｝−１，２，４−オキサジアゾール−５−イル）−８−アザビシクロ［３．２．１］オクタ−８−イル］−１−フェニルプロピル｝アセトアミド；
Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝シクロブタンカルボキサミド；
２−シクロプロピル−Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝アセトアミド；
３，３，３−トリフルオロ−Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝プロパンアミド；
Ｎ−｛（１Ｓ）−３−［７−エンド−（２−メチル−１Ｈ−ベンズイミダゾール−１−イル）−３−オキサ−９−アザビシクロ［３．３．１］ノナ−９−イル］−１−フェニルプロピル｝シクロブタンカルボキサミド；
２−シクロプロピル−Ｎ−｛（１Ｓ）−３−［７−エンド−（２−メチル−１Ｈ−ベンズイミダゾール−１−イル）−３−オキサ−９−アザビシクロ［３．３．１］ノナ−９−イル］−１−フェニルプロピル｝アセトアミド；
Ｎ−｛（１Ｓ）−３−［７−エキソ−（２−メチル−１Ｈ−ベンズイミダゾール−１−イル）−３−チア−９−アザビシクロ［３．３．１］ノナ−９−イル］−１−フェニルプロピル｝シクロブタンカルボキサミド；
２−シクロプロピル−Ｎ−［（１Ｓ）−３−（３−エンド−｛［２−（４−フルオロフェニル）アセチル］アミノ｝−８−アザビシクロ［３．２．１］オクタ−８−イル）−１−フェニルプロピル］アセトアミド；
Ｎ−［（１Ｓ）−３−（３−｛［３−エンド−（４−フルオロフェニル）プロパノイル］アミノ｝−８−アザビシクロ［３．２．１］オクタ−８−イル）−１−フェニルプロピル］シクロブタンカルボキサミド；
Ｎ−［（１Ｓ）−３−（３−｛［３−エキソ−（４−フルオロフェニル）プロパノイル］アミノ｝−８−アザビシクロ［３．２．１］オクタ−８−イル）−１−フェニルプロピル］シクロブタンカルボキサミド；
２−シクロプロピル−Ｎ−［（１Ｓ）−３−（３−エキソ−｛［２−（４−フルオロフェニル）アセチル］アミノ｝−８−アザビシクロ［３．２．１］オクタ−８−イル）−１−フェニルプロピル］アセトアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル）｝１−プロピオニル−３−アゼチジンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−３−フランカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−２Ｈ−ピラン４−カルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−２−フランカルボキサミド；
１−アセチル−Ｎ−｛（１Ｓ）−３−［３−エンド−（１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エンド−（１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
メチル３−［（｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アミノ）カルボニル］−１−アゼチジンカルボン酸；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−２−アゼチジンカルボキサミド；
２−［アセチル（メチル）アミノ］−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝プロパンアミド；
２−メトキシ−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−３−ピロリジンカルボキサミド；
１−メチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−２−オキソ−４−ピロリジンカルボキサミド；
１−アセチル−Ｎ−｛（１Ｓ）−３−［３−エキソ−（２−エチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（２−エチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）−３−アゼチジンカルボキサミド；
Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）−１−プロピオニル−３−アゼチジンカルボキサミド；
Ｎ−（（１Ｓ）−１−フェニル−３−｛３−エキソ［２−（トリフルオロメチル）−１Ｈ−ベンズイミダゾール−１−イル］−８−アザビシクロ［３．２．１］オクタ−８−イル｝プロピル）アセトアミド；
２−［アセチル（メチル）アミノ］−Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）アセトアミド；
１−アセチル−Ｎ−｛（１Ｓ）−３−［３−エキソ−（１Ｈ−ベンズイミダゾール−１−イル）−８−アザビシクロ［３．２．１］オクタ−８−イル］−１−フェニルプロピル｝−３−アゼチジンカルボキサミド；
Ｎ（１Ｓ）−３−［３−エキソ−（１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ（１Ｓ）−３−［３−エキソ−（５−フルオロ−１Ｈ−ベンズイミダゾール−１−イル）−８−アザビシクロ［３．２．１］オクタ−８−イル］−１−フェニルプロピル）３−アゼチジンカルボキサミド；
Ｎ−｛（１Ｓ）−３−［３−エキソ−（５−フルオロ−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−｛（１Ｓ）−３−［３−エキソ−（５−フルオロ−２−メチル−１Ｈ−ベンズイミダゾール−１−イル）−８−アザビシクロ［３．２．１］オクタ−８−イル］−１−フェニルプロピル｝３−アゼチジンカルボキサミド；
Ｎ−｛（１Ｓ）−３−［３−エキソ−（５−フルオロ−２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−アゼチジンカルボキサミド；
１−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−アゼチジンカルボキサミド；
（２Ｓ）−１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−アゼチジンカルボキサミド；
（２Ｒ）−１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−アゼチジンカルボキサミド；
２−［アセチル（メチル）アミノ］−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−ピロリジンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−１−（トリフルオロメチル）シクロプロパンカルボキサミド；
２−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
１−メチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
２−メトキシ−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝プロパンアミド；
２−［アセチル（メチル）アミノ］−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝プロパンアミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−メチル−３−オキセタンカルボキサミド；
３−エチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−オキセタンカルボキサミド；
３−エチル−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−メチル−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−１−メチル−３−アゼチジンカルボキサミド；
１−アセチル−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−２−メトキシアセトアミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝アセトアミド；
Ｎ｛−１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−メトキシプロパンアミド；
２−［アセチル（メチル）アミノ］−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝プロパンアミド；
およびそれらの薬剤的に許容できる塩が挙げられる。
【００２１】
さらに別の実施形態では、新生物もしくは新生物の転移の治療；または新生物もしくは新生物の転移の予防；または新生物の新生物転移の管理；または新生物もしくは新生物の転移の進行の緩徐化；または新生物もしくは前記新生物の転移の遅延に適したＣＣＲ５受容体の修飾薬としては、限定はされないが、共にBaroudy et al.による、米国特許第６，６８９，７６５号および同第７，３８４，９４４号に記載される化学物質が挙げられる。Baroudy et al.の化学物質およびそれらを含む全ての製剤または剤形は、参照によって本出願に組み込まれている。Baroudy et al.による化合物の好ましい例としては、５−（｛４−［（３Ｓ）−４−｛２−メトキシ−１−［４−（トリフルオロメチル）フェニル］エチル｝−３−メチルピペラジン−１−イル］−４−メチルピペリジン−１−イル｝カルボニル）−４，６−ジメチルピリミジンという代替のＩＵＰＡＣ名を有する、（４，６−ジメチルピリミジン−５−イル）−［４−［（３Ｓ）−４−［（１Ｒ）−２−メトキシ−１−［４−（トリフルオロメチル）フェニル］エチル］−３−メチルピペラジン−１−イル］−４−メチルピペリジン−１−イル］メタノン（ビクリビロック、以前の名称はＳＣＨ４１７６９０およびＳＣＨ−Ｄ）；およびそれらの薬剤的に許容できる塩または溶媒和化合物が挙げられる。
【００２２】
一態様において、本発明は、対象ががんを有するかどうか、または対象が、がんを発症するリスクを有するかどうか、および／もしくはその転移を起こすリスクを有するかどうかを判定する方法を提供する。一実施形態では、本方法は、がんを有する、またはがんを有することが疑われる対象から生物学的試料を得ること、並びに該生物学的試料中のＣＣＲ５の発現レベルおよび／または少なくとも１つのＣＣＲ５リガンドの発現レベルを評価すること、を含む。一実施形態では、生物学的試料中のＣＣＲ５の発現レベルおよび／または少なくとも１つのＣＣＲ５リガンドの発現レベルは、対照試料中のＣＣＲ５の発現レベルおよび／または少なくとも１つのＣＣＲ５リガンドの発現レベルと比較される。一実施形態では、生物学的試料中のＣＣＲ５の発現レベルおよび／または少なくとも１つのＣＣＲ５リガンドの発現レベルが、対照試料中のＣＣＲ５の発現レベルおよび／または少なくとも１つのＣＣＲ５リガンドの発現レベルよりも高い場合、対象はがんを有する可能性があると診断される。一実施形態では、生物学的試料中のＣＣＲ５の発現レベルおよび／または少なくとも１つのＣＣＲ５リガンドの発現レベルが、対照試料中のＣＣＲ５の発現レベルおよび／または少なくとも１つのＣＣＲ５リガンドの発現レベルよりも高い場合、対象はがんを発症するリスクが増加していると診断される。一実施形態では、生物学的試料中のＣＣＲ５の発現レベルおよび／または少なくとも１つのＣＣＲ５リガンドの発現レベルが、対照試料中のＣＣＲ５の発現レベルおよび／または少なくとも１つのＣＣＲ５リガンドの発現レベルよりも高い場合、対象はがん転移を起こすリスクが増加していると診断される。
【００２３】
本明細書で使用される用語「対象」には、動物が含まれることが意図される。特定の実施形態において、対象は、哺乳動物、ヒトまたは非ヒト霊長類、イヌ、ネコ、ウマ、雌ウシまたはげっ歯類である。
【００２４】
別の態様では、本発明は、がんの生物学的試料中のＣＣＲ５の発現レベルおよび／または少なくとも１つのＣＣＲ５リガンドの発現レベルに基づく、がんの分子レベルでの分類のための方法を提供する。一実施形態では、がんの分子レベルでの分類のための方法は、（ａ）対象からがんの生物学的試料を得ること；（ｂ）該生物学的試料中のＣＣＲ５の発現レベルおよび／または少なくとも１つのＣＣＲ５リガンドの発現レベルを決定すること；並びに（ｃ）ステップ（ｂ）で決定されたＣＣＲ５の発現レベルおよび／または少なくとも１つのＣＣＲ５リガンドの発現レベルが、対照試料中のＣＣＲ５の発現レベルおよび／または少なくとも１つのＣＣＲ５リガンドの発現レベルよりも高い場合に、がんをＣＣＲ５発現がんに分類すること、を含む。一実施形態では、ＣＣＲ５発現がんに分類されたがんを有する対象は、がんの転移を起こすリスクを有する可能性があると診断される。一実施形態では、がんは乳がんである。一実施形態では、がんは前立腺がんである。一実施形態では、がんは、白血病、例えば、限定はされないが、急性白血病、急性リンパ性白血病、急性骨髄球性白血病、例えば、骨髄芽球性白血病、前骨髄球性白血病、骨髄単球性白血病、単球性白血病、および赤白血病（erythroleukemia leukemia）および骨髄異形成症候群；慢性白血病、例えば、限定はされないが、慢性骨髄性（顆粒球性）白血病、慢性リンパ球性白血病、毛様細胞性白血病；真性赤血球増加症；リンパ腫、例えば、限定はされないが、ホジキン病、非ホジキン病；多発性骨髄腫、例えば、限定はされないが、くすぶり型多発性骨髄腫、非分泌性骨髄腫、骨硬化性骨髄腫、形質細胞性白血病、孤立性形質細胞腫および髄外性形質細胞腫；ワルデンストロームマクログロブリン血症；意味未確定の単クローン性高γグロブリン血症；良性単クローン性高γグロブリン血症；重鎖病；骨および結合組織肉腫、例えば、限定はされないが、骨肉腫、骨肉腫、軟骨肉腫、ユーイング肉腫、悪性巨細胞腫、骨線維肉腫、脊索腫、骨膜性肉腫、軟部組織肉腫、血管肉腫（angiosarcoma, hemangiosarcoma）、線維肉腫、カポジ肉腫、平滑筋肉腫、脂肪肉腫、リンパ管肉腫、神経鞘腫、横紋筋肉腫、滑膜肉腫；脳腫瘍、例えば、限定はされないが、神経膠腫、星状細胞腫、脳幹神経膠腫、上衣腫、乏突起膠腫、非神経膠腫瘍（nonglial tumor）、聴神経鞘腫、頭蓋咽頭腫、髄芽腫、髄膜腫、松果体腫、松果体芽腫、原発性脳リンパ腫；乳がん、例えば、限定はされないが、腺管癌、腺癌、小葉（小細胞）癌、腺管内癌、乳腺髄様がん、乳粘液性がん、乳管がん、乳頭状乳がん、パジェット病、および炎症性乳がん；副腎がん、例えば、限定はされないが、褐色細胞腫および副腎皮質癌；甲状腺がん、例えば、限定はされないが、乳頭様甲状腺がんまたは濾胞性甲状腺がん、甲状腺髄様がんおよび組織非形成性甲状腺がん；膵がん、例えば、限定はされないが、インスリノーマ、ガストリノーマ、グルカゴノーマ、ビポーマ、ソマトスタチン分泌腫瘍、およびカルチノイドまたは島細胞腫瘍；例えば、クッシング病、プロラクチン分泌腫瘍、先端巨大症、および尿崩症（diabetes insipius）に限定される、下垂体がん；眼がん、例えば、限定はされないが、眼メラノーマ、例えば、虹彩黒色��、脈絡膜黒色腫、および毛様体メラノーマ（cilliary body melanoma）、および網膜芽細胞腫；腟がん、例えば、扁平上皮癌、腺癌、およびメラノーマ；外陰がん、例えば、扁平上皮癌、メラノーマ、腺癌、基底細胞癌、肉腫、およびパジェット病；子宮頸がん、例えば、限定はされないが、扁平上皮癌、および腺癌；子宮がん、例えば、限定はされないが、子宮内膜癌および子宮肉腫；卵巣がん、例えば、限定はされないが、上皮性卵巣癌、境界型腫瘍、胚細胞性腫瘍、および間質性腫瘍；食道がん、例えば、限定はされないが、扁平上皮がん、腺癌、腺様嚢胞癌、粘表皮癌、腺扁平上皮癌、肉腫、メラノーマ、形質細胞腫、疣状癌、および燕麦細胞（小細胞）癌；胃がん、例えば、限定はされないが、腺癌、肉芽腫性（ポリープ状）、潰瘍性、表在拡大型、びまん性拡大型、悪性リンパ腫、脂肪肉腫、線維肉腫、および癌肉腫；結腸がん；直腸がん；肝臓がん、例えば、限定はされないが、肝細胞癌および肝芽腫；胆嚢がん、例えば、腺癌；胆管癌、例えば、限定はされないが、乳頭状（pappillary）、結節性、およびびまん性胆管癌；肺がん、例えば、非小細胞肺がん、扁平上皮癌（類表皮癌）、腺癌、大細胞癌および小細胞肺がん；精巣がん、例えば、限定はされないが、胚腫瘍（germinal tumor）、精上皮腫、未分化の、古典的（典型的）な、精母細胞性、非精上皮腫、胎生期癌、奇形腫、絨毛癌（卵黄嚢腫瘍）、前立腺がん、例えば、限定はされないが、前立腺上皮内腫瘍、腺癌、平滑筋肉腫、および横紋筋肉腫；陰茎がん（penal cancer）；口腔がん、例えば、限定はされないが、扁平上皮癌；基底細胞がん（basal cancer）；唾液腺がん、例えば、限定はされないが、腺癌、粘表皮癌、および腺様嚢胞癌；咽頭がん、例えば、限定はされないが、扁平上皮がん、および疣状癌（verrucous）；皮膚がん、例えば、限定はされないが、基底細胞癌、扁平上皮癌およびメラノーマ、表在拡大型黒色腫、結節性黒色腫、悪性黒子黒色腫、末端黒子型黒色腫；腎がん、例えば、限定はされないが、腎細胞癌、腺癌、グラヴィッツ腫瘍（hypemephroma）、線維肉腫、移行上皮がん（腎盂および／または尿管（uterer））；ウィルムス腫瘍；膀胱がん、例えば、限定はされないが、移行上皮癌、扁平上皮がん、腺癌、癌肉腫からなる群から選択される。さらに、がんには、粘液肉腫、骨原性肉腫、内皮肉腫、リンパ管内皮肉腫、中皮腫、滑膜腫、血管芽細胞腫、上皮癌、嚢胞腺癌、気管支原性癌、汗腺癌、脂腺癌、乳頭状癌および乳頭状腺癌が含まれる。
【００２５】
別の態様では、本発明は、対象における、ＣＣＲ−５を発現する新生物またはＣＣＲ５を発現する新生物の転移を治療、予防、または管理する方法を提供する。一実施形態では、ＣＣＲ５発現新生物を有する、またはＣＣＲ５発現新生物の転移を起こすリスクを有する対象におけるＣＣＲ−５発現新生物またはＣＣＲ５発現新生物の転移を治療または管理する方法は、に対象ＣＣＲ５修飾薬を投与することを含む。一実施形態では、ＣＣＲ５修飾薬はＣＣＲ５拮抗薬を含む。一実施形態では、ＣＣＲ５拮抗薬は、４，４−ジフルオロ−Ｎ−［（１Ｓ）−３−［（１Ｒ，５Ｓ）−３−（３−メチル−５−プロパン−２−イル−１，２，４−トリアゾール−４−イル）−８−アザビシクロ［３．２．１］オクタン−８−イル］−１−フェニルプロピル］シクロヘキサン−１−カルボキサミド（「マラビロック」）を含む。一実施形態では、ＣＣＲ５修飾薬は、ＣＣＲ５拮抗薬を含む。一実施形態では、ＣＣＲ５拮抗薬は、（４，６−ジメチルピリミジン−５−イル）−［４−［（３Ｓ）−４−［（１Ｒ）−２−メトキシ−１−［４−（トリフルオロメチル）フェニル］エチル］−３−メチルピペラジン−１−イル］−４−メチルピペリジン−１−イル］メタノン（「ビクリビロック」）を含む。一実施形態では、ＣＣＲ５拮抗薬は、４，４−ジフルオロ−Ｎ−［（１Ｓ）−３−［（１Ｒ，５Ｓ）−３−（３−メチル−５−プロパン−２−イル−１，２，４−トリアゾール−４−イル）−８−アザビシクロ［３．２．１］オクタン−８−イル］−１−フェニルプロピル］シクロヘキサン−１−カルボキサミド（「マラビロック」）および（４，６−ジメチルピリミジン−５−イル）−［４−［（３Ｓ）−４−［（１Ｒ）−２−メトキシ−１−［４−（トリフルオロメチル）フェニル］エチル］−３−メチルピペラジン−１−イル］−４−メチルピペリジン−１−イル］メタノン（「ビクリビロック」）からなる群から選択される。
【００２６】
一実施形態では、適切なＣＣＲ５拮抗薬は、
４，４−ジフルオロ−Ｎ−［（１Ｓ）−３−［（１Ｒ，５Ｓ）−３−（３−メチル−５−プロパン−２−イル−１，２，４−トリアゾール−４−イル）−８−アザビシクロ［３．２．１］オクタン−８−イル］−１−フェニルプロピル］シクロヘキサン−１−カルボキサミド（「マラビロック」）；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピルシクロブタンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピルシクロペンタンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピル−４，４，４−トリフルオロブタンアミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−フェニルプロピル−４，４−ジフルオロシクロヘキサンカルボキサミド；
Ｎ−（１Ｓ）−３−３−（３−イソプロピル−５−メチル−４Ｈ−１，２，４−トリアゾール−４−イル）−エキソ−８−アザビシクロ［３．２．１］オクタ−８−イル−１−（３−フルオロフェニル）プロピル−４，４−ジフルオロシクロヘキサンカルボキサミド；
およびそれらの薬剤的に許容できる塩または溶媒和化合物からなる群から選択される。
【００２７】
一実施形態では、適切なＣＣＲ５拮抗薬は、
Ｎ−｛３−［３−エキソ−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝シクロブタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−２Ｈ−ピラン−４−カルボキサミド；
１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝３−アゼチジンカルボキサミド；
１−ヒドロキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
２−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロプロパンカルボキサミド；
２−シクロプロピル−Ｎ−｛１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−３−フランカルボキサミド；
３，３，３−トリフルオロ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝テトラヒドロ−２−フランカルボキサミド；
１−（アセチルアミノ）−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
１−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
１−アミノ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝シクロペンタンカルボキサミド；
１−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−オキソ−４−ピロリジンカルボキサミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル）３−アゼチジンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［６−（２−メチル−１Ｈ−ベンズイミダゾール−１−イル）−３−アザビシクロ［３．１．０］ヘキサ−３−イル］−１−フェニルプロピル｝シクロブタンカルボキサミド；
２−シクロプロピル−Ｎ−｛（１Ｓ）−３−［３−エキソ−（３−｛４−［（メチルスルホニル）アミノ］ベンジル｝−１，２，４−オキサジアゾール−５−イル）−８−アザビシクロ［３．２．１］オクタ−８−イル］−１−フェニルプロピル｝アセトアミド；
Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝シクロブタンカルボキサミド；
２−シクロプロピル−Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝アセトアミド；
３，３，３−トリフルオロ−Ｎ−｛（１Ｓ）−３−［７−エキソ−（２−メチル−１Ｈ−ベンズイミダゾール−１−イル）−３−オキサ−９−アザビシクロ［３．３．１］ノナ−９−イル］−１−フェニルプロピル｝プロパンアミド；
Ｎ−｛（１Ｓ）−３−［７−エンド−（２−メチル−１Ｈ−ベンズイミダゾール−１−イル）−３−オキサ−９−アザビシクロ［３．３．１］ノナ−９−イル］−１−フェニルプロピル｝シクロブタンカルボキサミド；
２−シクロプロピル−Ｎ−｛（１Ｓ）−３−［７−エンド−（２−メチル−１Ｈ−ベンズイミダゾール−１−イル）−３−オキサ−９−アザビシクロ［３．３．１］ノナ−９−イル］−１−フェニルプロピル｝アセトアミド；
Ｎ−｛（１Ｓ）−３−［７−エキソ−（２−メチル−１Ｈ−ベンズイミダゾール−１−イル）−３−チア−９−アザビシクロ［３．３．１］ノナ−９−イル］−１−フェニルプロピル｝シクロブタンカルボキサミド；
２−シクロプロピル−Ｎ−［（１Ｓ）−３−（３−エンド−｛［２−（４−フルオロフェニル）アセチル］アミノ｝−８−アザビシクロ［３．２．１］オクタ−８−イル）−１−フェニルプロピル］アセトアミド；
Ｎ−［（１Ｓ）−３−（３−｛［３−エンド−（４−フルオロフェニル）プロパノイル］アミノ｝−８−アザビシクロ［３．２．１］オクタ−８−イル）−１−フェニルプロピル］シクロブタンカルボキサミド；
Ｎ−［（１Ｓ）−３−（３−｛［３−エキソ−（４−フルオロフェニル）プロパノイル］アミノ｝−８−アザビシクロ［３．２．１］オクタ−８−イル）−１−フェニルプロピル］シクロブタンカルボキサミド；
２−シクロプロピル−Ｎ−［（１Ｓ）−３−（３−エキソ−｛［２−（４−フルオロフェニル）アセチル］アミノ｝−８−アザビシクロ［３．２．１］オクタ−８−イル）−１−フェニルプロピル］アセトアミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル）｝１−プロピオニル−３−アゼチジンカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−３−フランカルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−２Ｈ−ピラン４−カルボキサミド；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝テトラヒドロ−２−フランカルボキサミド；
１−アセチル−Ｎ−｛（１Ｓ）−３−［３−エンド−（１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エンド−（１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
メチル３−［（｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アミノ）カルボニル］−１−アゼチジンカルボン酸；
Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−２−アゼチジンカルボキサミド；
２−［アセチル（メチル）アミノ］−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝プロパンアミド；
２−メトキシ−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−３−ピロリジンカルボキサミド；
１−メチル−Ｎ−｛（１Ｓ）−３−［３−エンド−（２−メチル−１Ｈ−ベンズイミダゾール−１−イル）−８−アザビシクロ［３．２．１］オクタ−８−イル］−１−フェニルプロピル｝−２−オキソ−４−ピロリジンカルボキサミド；
１−アセチル−Ｎ−｛（１Ｓ）−３−［３−エキソ−（２−エチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（２−エチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）−３−アゼチジンカルボキサミド；
Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）−１−プロピオニル−３−アゼチジンカルボキサミド；
Ｎ−（（１Ｓ）−１−フェニル−３−｛３−エキソ［２−（トリフルオロメチル）−１Ｈ−ベンズイミダゾール−１−イル］−８−アザビシクロ［３．２．１］オクタ−８−イル｝プロピル）アセトアミド；
２−［アセチル（メチル）アミノ］−Ｎ−（（１Ｓ）−１−フェニル−３−｛３−エキソ−［２−（トリフルオロメチル）−１Ｈ−ベンズイミダゾール−１−イル］−８−アザビシクロ［３．２．１］オクタ−８−イル｝プロピル）アセトアミド；
１−アセチル−Ｎ−｛（１Ｓ）−３−［３−エキソ−（１Ｈ−ベンズイミダゾール−１−イル）−８−アザビシクロ［３．２．１］オクタ−８−イル］−１−フェニルプロピル｝−３−アゼチジンカルボキサミド；
Ｎ（１Ｓ）−３−［３−エキソ−（１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ（１Ｓ）−３−［３−エキソ−（５−フルオロ−１Ｈ−ベンズイミダゾール−１−イル）−８−アザビシクロ［３．２．１］オクタ−８−イル］−１−フェニルプロピル）３−アゼチジンカルボキサミド；
Ｎ−｛（１Ｓ）−３−［３−エキソ−（５−フルオロ−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
１−アセチル−Ｎ−｛（１Ｓ）−３−［３−エキソ−（５−フルオロ−２−メチル−１Ｈ−ベンズイミダゾール−１−イル）−８−アザビシクロ［３．２．１］オクタ−８−イル］−１−フェニルプロピル｝３−アゼチジンカルボキサミド；
Ｎ−｛（１Ｓ）−３−［３−エキソ−（５−フルオロ−２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−アゼチジンカルボキサミド；
１−メチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−アゼチジンカルボキサミド；
（２Ｓ）−１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−アゼチジンカルボキサミド；
（２Ｒ）−１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−２−アゼチジンカルボキサミド；
２−［アセチル（メチル）アミノ］−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−３−ピロリジンカルボキサミド；
Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝−１−（トリフルオロメチル）シクロプロパンカルボキサミド；
２−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エキソ−（２−メチル−１Ｈ−ベンズイミダゾール−１−イル）−８−アザビシクロ［３．２．１］オクタ−８−イル］−１−フェニルプロピル｝プロパンアミド；
１−アセチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
１−メチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
２−メトキシ−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
３−メトキシ−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝プロパンアミド；
２−［アセチル（メチル）アミノ］−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝プロパンアミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−メチル−３−オキセタンカルボキサミド；
３−エチル−Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−２−メチル−１Ｈ−ベンズイミダゾール−１−イル）−８−アザビシクロ［３．２．１］オクタ−８−イル］−１−フェニルプロピル｝−３−オキセタンカルボキサミド；
３−エチル−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−メチル−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−オキセタンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−１−メチル−３−アゼチジンカルボキサミド；
１−アセチル−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−１−プロピオニル−３−アゼチジンカルボキサミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−２−メトキシアセトアミド；
Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝アセトアミド；
Ｎ｛−１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝−３−メトキシプロパンアミド；
２−［アセチル（メチル）アミノ］−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝アセトアミド；
３−［アセチル（メチル）アミノ］−Ｎ−｛（１Ｓ）−３−［３−エキソ−（４−フルオロ−１Ｈ−ベンズイミダゾール−１−イル）−８−アザビシクロ［３．２．１］オクタ−８−イル］−１−フェニルプロピル｝プロパンアミド；
およびそれらの薬剤的に許容できる塩から成る群から選択される。
【００２８】
本明細書に開示されるような、本発明の一態様は、対象にＣＣＲ５受容体拮抗薬を投与することにより、対象におけるＣＣＲ５発現新生物またはＣＣＲ５発現新生物の転移を治療、予防、または管理する方法を提供する。一実施形態では、ＣＣＲ５受容体拮抗薬（anatagonist）は、ＣＣＲ５受容体拮抗薬を含む医薬製剤または剤形の形態で投与される。一実施形態では、ＣＣＲ５受容体拮抗薬は、酸、エステル、または他の適切な化学誘導体の形態で用いられる。一実施形態では、ＣＣＲ５受容体拮抗薬は、当該技術分野において周知の手順に従って種々の有機および無機の酸および塩基から得られた、薬剤的に許容できる塩の形態である。一実施形態では、本明細書で使用される「薬剤的に許容できる塩」という表現は、ＣＣＲ５受容体拮抗薬の塩形態、特に、ＣＣＲ５受容体拮抗薬の遊離形態または他の先に開示された塩形態と比較して、ＣＣＲ５受容体拮抗薬に向上した薬物速度論的特性を与える塩形態で使用されるＣＣＲ５受容体拮抗薬を含む活性成分を意味することが意図されている。一実施形態では、ＣＣＲ５受容体拮抗薬の薬剤的に許容できる塩形態は、最初に、ＣＣＲ５受容体拮抗薬にそれが以前は有していなかった所望の薬物速度論的特性を与え、さらに、身体におけるその治療的活性に関するＣＣＲ５受容体拮抗薬の薬力学に正の影響を与え得る。一実施形態では、有利に影響を受け得るＣＣＲ５受容体拮抗薬の薬物速度論的特性には、例えば、その後にＣＣＲ５受容体拮抗薬の吸収、分布、生体内変換または排出に直接且つ正の影響を与え得る、ＣＣＲ５受容体拮抗薬が細胞膜を通過して運搬される様式が含まれる。医薬組成物の投与経路は重要であり、種々の解剖学的、生理学的および病理学的な要因は生物学的利用能に決定的な影響を与える可能性があるが、ＣＣＲ５受容体拮抗薬の溶解性は、通常、ＣＣＲ５受容体拮抗薬が利用した特定のその塩形態の特性に依存する。さらに、水溶液は治療中の患者の身体への活性成分の最も迅速な吸収を与え得るが、脂質溶液および懸濁液、並びに固体剤形は、それほど迅速ではない吸収をもたらし得る。ＣＣＲ５受容体拮抗薬の経口摂取は、安全性、利便性、および経済性の理由から最も好ましい投与経路であるが、そのような経口剤形の吸収は、極性、胃腸粘膜の過敏によって引き起こされる嘔吐、消化酵素および低ｐＨによる分解、食物または他の薬剤の存在下での不規則な吸収または推進、並びに粘膜、腸管内菌叢、または肝臓の酵素による代謝等の身体的特徴によって、不利な影響を受ける可能性がある。ＣＣＲ５受容体拮抗薬の異なる薬剤的に許容できる塩形態への製剤化は、経口剤形の吸収に伴う上記問題のうちの一つまたは複数を克服または軽減するのに有効であり得る。周知の薬剤的に許容できる塩としては、限定はされないが、酢酸塩、アジピン酸塩、アルギン酸塩、アスパラギン酸塩、安息香酸塩、ベンゼンスルホン酸塩、ベシル酸塩、重硫酸塩、酪酸塩、クエン酸塩、樟脳酸塩、カンフルスルホン酸、シクロペンタンプロピオン酸塩、ジグルコン酸塩、ドデシ硫酸塩、エタンスルホン酸塩、フマル酸塩、グルコヘプタン酸塩、グルコン酸塩、グリセロリン酸、ヘミコハク酸塩、ヘミ硫酸塩、ヘプタン酸塩、ヘキサン酸塩、馬尿酸塩、塩酸塩、���化水素酸塩、ヨウ化水素酸塩、２−ヒドロキシエタンスルホン酸塩、イセチオン酸塩、乳酸塩、ラクトビオン酸塩、マレイン酸塩、マンデル酸塩、メタンスルホン酸塩、２−ナフタレンスルホン酸塩、ニコチン酸塩、硝酸塩、シュウ酸塩、オレイン酸塩、パモ酸塩、ペクチン酸塩、過硫酸塩、３−フェニルプロピオン酸塩、ホスホン酸塩、ピクリン酸塩、ピバル酸塩、プロピオン酸塩、サリチル酸塩、リン酸ナトリウム、ステアリン酸塩、コハク酸塩、硫酸塩、スルホサリチル酸塩、酒石酸塩、チオシアン酸塩、チオリンゴ酸塩、トシル酸塩、およびウンデカン酸塩が挙げられる。
【００２９】
適切なＣＣＲ５受容体拮抗薬の化合物の塩基塩としては、限定はされないが、アンモニウム塩；ナトリウムおよびカリウム等のアルカリ金属塩；カルシウムおよびマグネシウム等のアルカリ土類金属塩；ジシクロヘキシルアミン、メグルミン、Ｎ−メチル−Ｄ−グルカミン、トリスヒロドキシメチル）メチルアミン（トロメタミン）等の有機塩基との塩、並びにアルギニン、リジン等のアミノ酸との塩が挙げられる。塩基性窒素含有基を含む本発明の化合物は、（Ｃ１Ｃ４）ハロゲン化アルキル、例えば、メチル、エチル、イソ−プロピルおよびｔｅｒｔ−ブチルの塩化物、臭化物およびヨウ化物；硫酸ジ（Ｃ１−Ｃ４）アルキル、例えば、硫酸ジメチル、硫酸ジエチルおよび硫酸ジアミル；（Ｃ１０−Ｃ１８）アルキルハロゲン化物、例えば、デシル、ドデシル、ラウリル、ミリスチルおよびステアリルの塩化物、臭化物およびヨウ化物；並びにアリール−（Ｃ１−Ｃ４）アルキルハロゲン化物、例えば、塩化ベンジルおよび臭化フェネチル等の作用剤で四級化されていてもよい。そのような塩は、水溶性の本発明の化合物および油溶性の本発明の化合物の両方の調製を可能にする。
【００３０】
上記の医薬塩の中で、好ましいものとしては、限定はされないが、酢酸塩、ベシル酸塩、クエン酸塩、フマル酸塩、グルコン酸塩、ヘミコハク酸塩、馬尿酸塩、塩酸塩、臭化水素酸塩、イセチオン酸塩、マンデル酸塩、メグルミン、硝酸塩、オレイン酸塩、ホスホン酸塩、ピバル酸塩、リン酸ナトリウム、ステアリン酸塩、硫酸塩、スルホサリチル酸塩、酒石酸塩、チオリンゴ酸塩、トシル酸塩、およびトロメタミンが挙げられる。
【００３１】
ＣＣＲ５受容体拮抗薬がそのような薬剤的に許容できる塩を形成することができる２つ以上の基を含有する（ontain）多塩形態（multiple salts form）が、本発明の範囲内に含まれる。典型的な多塩形態の例としては、限定はされないが、酒石酸水素塩、二酢酸塩、二フマル酸塩、ジメグルミン、二リン酸塩、二ナトリウム、および三塩酸塩が挙げられる。適切なＣＣＲ５受容体拮抗薬は、単独で投与することができるが、一般的には、意図される投与経路および標準的な医療実施を考慮して選択される一つまたは複数の適切な医薬賦形剤、希釈剤または担体と混合して投与される。
【００３２】
例えば、ＣＣＲ５受容体拮抗薬は、即時放出または制御放出適用のための、芳香剤または着色剤を含有していてもよい、錠剤、カプセル剤、膣坐剤（ovules）、エリキシル剤、液剤または懸濁剤の形態で、経口的に、または舌下に、投与することができる。そのような錠剤は、微結晶性セルロース、ラクトース、クエン酸ナトリウム、炭酸カルシウム、リン酸二カルシウムおよびグリシン等の賦形剤、デンプン（好ましくはトウモロコシ、ジャガイモまたはタピオカデンプン）、アルギン酸およびある種の複合ケイ酸塩等の崩壊剤、並びにポリビニルピロリドン、スクロース、ゼラチンおよびアカシア等の等の造粒結合剤を含有していてもよい。さらに、ステアリン酸マグネシウム、ラウリル硫酸ナトリウムおよび滑石等の滑沢剤が含まれていてもよい。同じような種類の固体組成物が、ゼラチンカプセル内の充填剤として用いられてもよい。これに関して好ましい賦形剤としては、ラクトースまたは乳糖、並びに高分子量ポリエチレングリコールが挙げられる。水性懸濁剤および／またはエリキシル剤において、ＣＣＲ５受容体拮抗薬は、種々の甘味剤または芳香剤、着色物質または色素と、乳化剤および／または懸濁化剤と、並びに水、エタノール、プロピレングリコールおよびグリセリン等の希釈剤と、並びにそれらの組み合わせと、組み合わされていてもよい。
【００３３】
適切なＣＣＲ５受容体拮抗薬は、非経口的に、例えば、静脈内に、腹腔内に、くも膜下腔内に、脳室内に、胸骨内に（intrastemally）、頭蓋内に、筋肉内に、または皮下に注入することもでき、あるいは、点滴法により投与されてもよい。適切なＣＣＲ５受容体拮抗薬は、他の物質、例えば、溶液を血液と等張にするのに充分な塩またはグルコースを含有していてもよい無菌水溶液の形態で、最もよく使用される。前記水溶液は、必要な場合、（好ましくは、３〜９のｐＨに）適切に緩衝化されるべきである。無菌条件下での適切な非経口製剤の調製は、当業者に周知の標準的な医薬技術によって、容易に達成される。
【００３４】
ヒト対象への経口投与および非経口投与において、ＣＣＲ５受容体拮抗薬の一日の投与量レベルは、通常、１μｇ／ｋｇ〜２５ｍｇ／ｋｇ（単回量または分割量で）である。従って、ＣＣＲ５受容体拮抗薬の錠剤またはカプセル剤は、１個投与または適当であれば同時に複数個投与するために、０．０５ｍｇ〜１．０ｇの活性化合物を含有していてもよい。いずれにしても、任意の個々の患者に最も適した実際の投与量は、医師によって決定され、特定の患者の年齢、体重および応答によって異なる。上記の投与量は、平均的な場合の例である。当然のことながら、より高いまたはより低い用量域が相応しい個々の場合があり得、これらは本発明の範囲内である。適切なＣＣＲ５受容体拮抗薬は、鼻腔内に、または吸入によって、投与することもでき、適切な噴霧剤、例えば、ジクロロジフルオロメタン、トリクロロフルオロメタン、ジクロロテトラフルオロエタン、ヒドロフルオロアルカン（例えば、１，１，１，２−テトラフルオロエタン（ＨＦＡ１３４ａ））、二酸化炭素または他の適切な気体を用いる、加圧容器または噴霧器からの、乾燥粉末吸入器またはエアロゾルスプレー形（aerosol spray presentation）の形態で、送達されることが好都合である。加圧式エアロゾルの場合、投与単位は、計量された量を送達する弁を与えることにより、決定されてもよい。加圧容器または噴霧器は、例えば、エタノールおよび噴霧剤の混合物を溶媒として用いて、本活性化合物の溶液または懸濁液を含有していてもよく、さらに、滑沢剤（例えば、ソルビタントリオレエート）を含有していてもよい。吸入器または注入器で用いるカプセル剤およびカートリッジ剤（例えば、ゼラチンから製造される）は、ＣＣＲ５受容体拮抗薬およびラクトースまたはデンプン等の適切な粉末基剤の混合粉末を含有するように製剤化されてもよい。
【００３５】
エアロゾルまたは乾燥粉末製剤は、対象へ送達するため、それぞれの計量された用量または「パフ（puff）」が２０μｇ〜２０ｍｇのＣＣＲ５受容体拮抗薬を含有するように、好ましく調製される。エアロゾルによる総一日量は、１日を通して1回の投与で、またはより一般的には、分割した投与で投与され得る、２０μｇ〜２０ｍｇの範囲である。あるいは、適切なＣＣＲ５受容体拮抗薬は、坐剤または膣坐薬の形態で投与することができ、あるいは、ローション剤、液剤、クリーム、軟膏剤または散布粉剤の形態で局所的に塗布してもよい。ＣＣＲ５受容体拮抗薬は、皮膚用パッチ剤を用いることで経皮投与されてもよい。ＣＣＲ５受容体拮抗薬は、特に、眼の神経障害を治療するために、眼球経路（ocular route）によって投与されてもよい。
【００３６】
眼への使用において、本化合物は、等張の、ｐＨ調整した、無菌の食塩水中の微粉化懸濁剤として、または、好ましくは、等張の、ｐＨ調整した、無菌の食塩水中の液剤として、所望により、塩化ベンザルコニウム（benzylalkonium chloride）等の保存剤と組み合わせて、製剤化することができる。あるいは、本化合物は、ワセリン等の軟膏剤中に製剤化されてもよい。皮膚に局所的に塗布するため、式（Ｉ）の化合物は、例えば、以下のうちの一つまたは複数との混合物中に懸濁または溶解された本活性化合物を含有する適切な軟膏剤として、製剤化することができる：ミネラルオイル、流動パラフィン、白色ワセリン、プロピレングリコール、ポリオキシエチレンポリオキシプロピレン化合物、乳化ろうおよび水。あるいは、式（Ｉ）の化合物は、例えば、以下のうちの一つまたは複数の混合物中に懸濁または溶解された適切なローション剤またはクリーム剤として、製剤化することができる：ミネラルオイル、モノステアリン酸ソルビタン、ポリエチレングリコール、流動パラフィン、ポリソルベート６０、セチルエステルワックス、セテアリルアルコール、２−オクチルドデカノール、ベニルアルコール（benyl alcohol）および水。
【００３７】
いくつかの実施形態において、本明細書に記載の化合物は、ＣＣＲ５ケモカイン受容体活性、並びにＣＣＲ５受容体およびそのリガンドによりその後に仲介される、結果として生じる、または関連する発病過程を調節することができる。本明細書で使用される「ＣＣＲ５ケモカイン受容体活性を調節する」という表現は、ＣＣＲ５ケモカイン受容体およびそれらのリガンドが関与する基本的な生理的過程および作用（agency）の操作を指すことが意図されている。ＣＣＲ５受容体の全てのタイプおよびサブタイプが、特定の患者のどの組織内にそれらが存在していても、且つそれらの組織を構成する細胞のどの構成要素の中または表面上にそれらが局在化していても、この意図される意味の範囲の中に含まれる。最も一般的には、ＣＣＲ５受容体は、単球等の特定の細胞型の細胞膜上に位置している。ＣＣＲ５受容体は、それらが天然に結合する種々の内因性リガンドと共に、ケモカイン等の作用因子の、それらの細胞および組織への移動およびそれらの細胞および組織からの移動に対してＣＣＲ５受容体が及ぼす影響によって、重要な細胞機能および組織機能を制御するシグナル経路に関与し、それを定義づける。
【００３８】
患者に治療有効量のＣＣＲ５受容体拮抗薬を投与することを含む本発明の治療法に従って、本明細書に記載のＣＣＲ５ケモカイン受容体活性の調節を介した、またはそれに関連する、患者における疾患および状態を治療または予防を行うのに有効な、並びに患者におけるその予後に有利な影響を与えるのに有効な、式（Ｉ）の化合物の投与量および投与速度は、ＣＣＲ５受容体拮抗薬の性質、患者のサイズ、治療目的、治療中の病態の性質、使用される具体的な医薬組成物、患者が受け得る同時処置、並びに治療医の観察および結論等の種々の要素に依存する。
【００３９】
しかし、一般的に、対象に投与される適切なＣＣＲ５受容体拮抗薬の有効治療用量は、一日当たり約１０μｇ（０．０１ｍｇ）／ｋｇ体重〜約６０．０ｍｇ／ｋｇ体重、好ましくは一日当たり約１００μｇ（０．１ｍｇ）／ｋｇ体重〜約１０ｍｇ／ｋｇ体重、より好ましくは一日当たり約１．０ｍｇ／ｋｇ体重〜約６．０ｍｇ／ｋｇ体重、最も好ましくは一日当たり約２．０ｍｇ／ｋｇ体重〜約４．０ｍｇ／ｋｇ体重のＣＣＲ５受容体拮抗薬である。
【００４０】
活性成分としてのＣＣＲ５受容体拮抗薬に加えて追加の治療薬および活性成分を同時投与することを含む実施形態、並びに活性成分としてのＣＣＲ５受容体拮抗薬に加えて追加の治療薬および活性成分を含有する組成物が、本発明の範囲内に含まれる。しばしば併用療法と称されるそのような多剤投与計画は、ＣＣＲ５ケモカイン受容体調節を介した、またはそれと関連するいかなる疾患または状態（特にがん転移）の治療および予防にも用いることができる。治療薬のそのような組み合わせの使用は、がんの治療、がんの予防、またはがん転移のリスクの管理を必要としている対象におけるがん転移の治療、予防、または管理に対して、特に適切である。
【００４１】
例示的なＣＣＲ５受容体拮抗薬は、１日１〜４回、好ましくは１日１回または２回の投与計画に従って投与されてもよい。いかなる特定の患者に対する投与の具体的な服用レベルおよび頻度も変化し得、使用される特定の化合物の活性、その化合物の代謝的安定性および作用の長さ、年齢、体重、全体的な健康、性別、食事、投与の様式時期、排泄速度、薬剤の組み合わせ、特定の状態の重症度、並びに処置中の宿主（the host undergoing）を含む、種々の要素によって異なる。
【００４２】
Perros et al.による米国特許第６，６６７，３１４号に開示されている通り、ＣＣＲ５拮抗薬は、即時放出、遅延放出、調節放出、持続性放出、パルス放出または制御放出適用のための、芳香剤または着色剤を含有していてもよい、錠剤、カプセル剤、多粒子剤（multi-particulate）、ゲル剤、フィルム（film）、膣坐剤（ovule）、エリキシル剤、液剤または懸濁剤の形態で、経口的に、頬側に、または舌下に投与することができる。ＣＣＲ５受容体拮抗薬は、高速分散性または高速溶解性の剤形として、または高エネルギー分散系の形態で、またはコーティングされた粒子として、投与されてもよい。ＣＣＲ５受容体拮抗薬の化合物の適切な製剤は、所望により、コーティングされた、またはコーティングされていない形態であり得る。そのような固体医薬組成物（例えば、錠剤）は、微結晶性セルロース、ラクトース、クエン酸ナトリウム、炭酸カルシウム、リン酸水素カルシウム、グリシンおよびデンプン（好ましくはトウモロコシ、ジャガイモまたはタピオカデンプン）等の賦形剤、グリコール酸デンプンナトリウム（sodium starch glycollate）、クロスカルメロースナトリウムおよびある種の複合ケイ酸塩等の崩壊剤、並びにポリビニルピロリドン、ヒドロキシプロピルメチルセルロース（ＨＰＭＣ）、ヒドロキシプロピルセルロース（ＨＰＣ）、スクロース、ゼラチンおよびアカシア等の造粒結合剤を含んでいてもよい。さらに、ステアリン酸マグネシウム、ステアリン酸、ベヘン酸グリセリルおよび滑石等の滑沢剤が含まれていてもよい。
【００４３】
本明細書で使用される「転移」は、循環系もしくはリンパ系を介した、または自然な体腔を介した、通常は新形成の原発部位から身体内の遠位部位への、悪性腫瘍細胞、または新生物の移動、および後の新しい部位での二次性の腫瘍またはコロニーの発達と定義される。本発明の方法のいくつかの好ましい実施形態において、転移は、肝臓、脳、膀胱、肺、副腎、腎臓、骨、皮膚もしくは膵臓または対照腎臓（control kidney）およびそれらの組み合わせからなる群から選択される器官またはそれ以上の器官における腫瘍転移を含む。
【００４４】
別の態様では、本発明は、がん転移を低減または予防または治療する化合物を同定する方法を提供する。一実施形態では、前記方法により、ＣＣＲ５を過剰発現する、および／またはＣＣＲ５受容体リガンドの少なくとも１つを過剰発現する、新生細胞の増殖または生存能に選択的に干渉する候補化合物が同定される。一実施形態では、前記方法により、ＣＣＲ５を過剰発現する、および／またはＣＣＲ５受容体リガンドの少なくとも１つを過剰発現する新生細胞において、ＣＣＲ５および／またはＣＣＲ５受容体リガンドの少なくとも１つの活性を選択的に遮断する候補化合物が同定される。例示的な一実施形態において、ＣＣＲ５を過剰発現する、および／またはＣＣＲ５受容体リガンドの少なくとも１つを過剰発現する新生細胞においてがん転移を低減または予防または治療する候補化合物を同定するための方法は、（ａ）ＣＣＲ５を過剰発現する、および／またはＣＣＲ５受容体リガンドの少なくとも１つを過剰発現する一つまたは複数の新生細胞を一つまたは複数の候補化合物と接触させること；並びに（ｂ）ＣＣＲ５を過剰発現する、および／またはＣＣＲ５受容体リガンドの少なくとも１つを過剰発現する一つまたは複数の新生細胞の活性および／または増殖もしくは生存能を検出することを含み、ここで、（対照試料と比較した）一つまたは複数の新生細胞の活性の低減および／または増殖の低減および／または生存能の低減は、該候補化合物を、ＣＣＲ５を過剰発現する、および／またはＣＣＲ５受容体リガンドの少なくとも１つを過剰発現する新生細胞におけるがん転移を選択的に低減または予防または治療する化合物と同定する。一実施形態では、一つまたは複数の新生細胞の増殖が、ＣＣＲ５を過剰発現する、および／またはＣＣＲ５受容体リガンドの少なくとも１つを過剰発現する未処置（対照）新生細胞と比較して低減／抑制されている場合、前記候補化合物は、ＣＣＲ５を過剰発現する、および／またはＣＣＲ５受容体リガンドの少なくとも１つを過剰発現する新生細胞の転移を選択的に低減または予防または治療する化合物であると同定される。一実施形態では、一つまたは複数の新生細胞の生存能が、ＣＣＲ５を過剰発現する、および／またはＣＣＲ５受容体リガンドの少なくとも１つを過剰発現する未処置（対照）新生細胞と比較して低減／抑制されている場合、前記候補化合物は、ＣＣＲ５を過剰発現する、および／またはＣＣＲ５受容体リガンドの少なくとも１つを過剰発現する新生細胞の転移を選択的に低減または予防または治療する化合物であると同定される。一実施形態では、一つまたは複数のＣＣＲ５受容体リガンドはＣＣＬ５を含む。一実施形態では、一つまたは複数のＣＣＲ５受容体リガンドはＣＣＬ８を含む。一実施形態では、一つまたは複数のＣＣＲ５受容体リガンドはＣＣＬ７を含む。
【００４５】
本明細書で開示される研究のために、ヒト乳がん細胞系におけるＣＣＬ５およびＣＣＲ５の発現、並びにＣＣＲ５拮抗薬のインビトロおよびインビボにおける作用を調べた。２，２５４人の患者の乳がん試料との関連において、マイクロアレイデータセットを用いて照合を行い、ＣＣＲ５およびＣＣＬ５の発現を評価した。データセットにおける試料を、ルミナール（luminal）Ａ、ルミナールＢ、正常様、基底およびＨＥＲ−２過剰発現疾患を含む５種の乳がんサブタイプに割り当てた。解析によって、基底サブタイプおよびＨＥＲ−２サブタイプを有する患者におけるＣＣＬ５およびＣＣＲ５の発現増加が明らかになった。５８％のがん試料が、ＣＣＲ５およびＣＣＬ５陽性シグネチャを示した。正常乳腺細胞において、それらががん細胞へと癌化する際に、癌遺伝子によってＣＣＲ５受容体が活性化されることが分かった。それらの細胞の転移が、ＣＣＲ５によって制御されていることも分かった。
【００４６】
インビトロでの細胞の遊走および浸潤におけるＣＣＲ５の機能的関連性を評価するために、薬剤を、２種の異なる細胞株を用いる３次元浸潤アッセイにおいて試験した。両方の拮抗薬が乳がん細胞の浸潤性を阻害することが分かった。
【００４７】
インビボでの細胞の遊走および浸潤におけるＣＣＲ５の機能的関連性を評価するために、マウスに拮抗薬を注射し、基底乳がん細胞の他の組織（すなわち肺）への浸潤性を、生物発光画像法を用いて追跡した。薬剤処置されたマウスは、未処置マウスと比較して、肺転移の数およびサイズの両方において９０％超の減少を示すことが分かった。この、およびその他の前臨床試験によって、基底乳がんの転移を阻止するための新規治療としてＣＣＲ５拮抗薬の使用を研究するための合理的根拠が得られた。これらの発見は、ＣＣＲ５が転移を促進する他のがん（例えば、前立腺がんおよび胃がん）に対する示唆も与え得る。
【００４８】
同じ要素が同じ参照番号で表される添付の詳細な図面を参照して、本発明の好ましい実施形態は図１Ａ〜１４Ｄに示される。
【００４９】
図１Ａを参照すると、乳がんの遺伝子発現パターンに基づいて乳がんの分子サブタイプによって分類された乳がん、すなわちルミナールＡ、ルミナールＢ、基底、正常様、およびＨｅｒ−２を有する患者から得られた試料における、ＣＣＬ５およびその受容体ＣＣＲ５の発現のヒートマップが示されている。ヒートマップは、ＣＣＬ５およびＣＣＲ５の相対的存在量が、基底およびＨＥＲ−２乳がんサブタイプを有する患者において増加（過剰発現）していることを示している。またヒートマップは、ＣＣＬ５およびＣＣＲ５がＨｅｒ−２乳がんサブタイプにおいて過剰発現していることも示している。
【００５０】
図１Ｂ１〜１Ｂ５を参照すると、ＣＣＬ５およびその受容体ＣＣＲ５の発現が図１Ａに示される乳がん分子サブタイプ間の、ＣＣＬ５およびＣＣＲ５の発現の蛍光標識細胞分取（ＦＡＣＳ）散布図および相関分析（スチューデントｔ検定）が示されている。Ａで観察されたＣＣＬ５およびその受容体ＣＣＲ５の発現と一致して、散布図は、ＣＣＬ５およびＣＣＲ５が、基底およびＨＥＲ−２乳がんサブタイプを有する患者において過剰発現していることを示している。
【００５１】
図１Ｃを参照すると、図１Ｂ１〜１Ｂ５に示されるＣＣＬ５およびＣＣＲ５を過剰発現している乳がん試料の比率を定量化したもの（バーの画分は図１Ｂ１〜１Ｂ５に示される散布図の右上象限を示している）が示されている。各サブタイプにおける試料の数は、バーの頂部に示されている。
【００５２】
図１Ｄを参照すると、本開示の材料および方法のセクションに記載される解析データベースにおける異なる遺伝子サブタイプの無転移カプラン・マイヤープロットおよびログランク解析が示されている。無転移カプラン・マイヤープロットは、基底またはＨＥＲ−２サブタイプの乳がんを有する患者が、転移を起こす確率の増加を示すことを示している。
【００５３】
図２Ａ〜２Ｈは、ＣＣＲ５を発現するヒト乳がん細胞系がＣＣＬ５に応答することを示している。図１Ａにおいて、ＭＤＡ−ＭＢ−２３１乳がん細胞におけるＣＣＲ５発現のフローサイトメトリーヒストグラムにより、ＣＣＲ５＋細胞の亜集団が同定された。図２Ｂおよび２Ｂ２において、Ｆｌｕｏ−４−ＡＭを加え、その後ＣＣＬ５（６０μｇ／ｍＬ）およびＦＢＳ（５％）を逐次添加した細胞における、カルシウムシグナル伝達の誘導が示されている。わずかな細胞がＣＣＬ５に応答した（顕微鏡像の中央の黒色の矢印）が、残りは応答しなかった（白色の矢印）。５つの応答性細胞（緑線）および５つの非応答性細胞（赤線）上の蛍光における平均変化を、一番右のグラフに表す。示されるデータは、各細胞株に対する３〜５回の独立した実験を代表したものである（バー、１００μｍ）。図２Ｃにおいて、ＣＣＬ５（１５μｇ／ｍＬ）を化学誘引物質として用いた乳がん細胞系によるコラーゲンゲルへの３次元浸潤が示されている。図２Ｄは、３次元浸潤が図２Ｃに示される３つの独立した実験から得られた、浸潤の平均距離±ＳＥＭを示している。図２Ｅは、ＭＣＦ−１０Ａ細胞並びにＭＣＦ−１０Ａ−ＮｅｕＴ、ＭＣＦ−１０Ａ−Ｒａｓ、およびＭＣＦ−１０Ａ−Ｓｒｃ誘導体の３次元浸潤アッセイを示しており、それらの対応する定量化は図２Ｆに示されており（平均値±ＳＥＭ、ｎ＝３）、これらはＣＣＬ５誘導性浸潤が発癌性形質転換によって活性化されることを示している。図２Ｇは、ＣＣＲ５＋細胞が増加した浸潤性を示すことを示している。ＳＵＭ−１５９細胞株由来のＣＣＲ５＋およびＣＣＲ５−亜集団をＦＡＣＳで単離し、ＦＢＳを化学誘引物質として用いてコラーゲンゲルへの浸潤を評価した。図２Ｇにおける試料のＦＡＣＳおよびコラーゲンゲルへの浸潤実験の定量化が、２つの独立した実験の平均値±ＳＥＭとして、図２Ｈに示される。スチューデントｔ検定を用いて統計解析を行った。
【００５４】
図３Ａ１〜３Ｄは、ＣＣＲ５拮抗薬がＣＣＬ５誘導性カルシウムシグナル伝達を遮断することを示している。図３Ａ１〜３Ａ４では、ＣＣＲ５拮抗薬であるマラビロックまたはビクリビロック（１００ｎｍｏｌ／Ｌ）で３０分間処置され、その後ＣＣＬ５（６０μｇ／ｍＬ）を添加された、Ｆｌｕｏ−４ＡＭを加えたＭＤＡ−ＭＢ−２３１細胞の強度−時間解析が示されている。顕微鏡像は、擬似線スキャンプロット（pseudoline scan plot）の軸（ｘ−ｘ'）を図示している。これらの軸を用いて、隣接する強度−時間プロットを作成した。図３Ｂでは、ＣＣＬ５の添加時に蛍光強度が増加した細胞の割合の比較が示されている。図３Ｃ１〜３Ｃ４では、ＣＣＬ５誘導性カルシウムシグナル伝達が、Ｈｓ５７８Ｔ細胞においてもＣＣＲ５拮抗薬によって遮断された。対応する定量化は図３Ｄに示されている。図３Ｂおよび図３Ｄのデータは、３〜４つの独立した実験の平均値±ＳＥＭである。スチューデントｔ検定を用いて統計解析を行った。
【００５５】
図４Ａ〜４Ｄは、ＣＣＲ５拮抗薬がＦＢＳ誘導性乳がん細胞浸潤を阻止することを示している。図４Ａでは、ＣＣＲ５拮抗薬（１００ｎｍｏｌ／Ｌ）存在下における、Ｈｓ５７８Ｔ乳がん細胞によるコラーゲンゲルへのＦＢＳ誘導性浸潤の３次元再構築が示されている。図３Ｃでは、ＣＣＲ５拮抗薬（１００ｎｍｏｌ／Ｌ）存在下における、ＳＵＭ−１５９乳がん細胞によるコラーゲンゲルへのＦＢＳ誘導性浸潤の３次元再構築が示されている。対応する定量化（平均値±ＳＥＭ、ｎ＝３）および解析（ボンフェローニｔ検定）は、図４Ｂおよび図４Ｄに示されている。
【００５６】
図５Ａ〜５Ｆを参照すると、示されるデータは、ＣＣＲ５拮抗薬マラビロックがインビボにおいて肺転移を阻止することを示している。図５Ａでは、Ｌｕｃ２−ｅＧＦＰ融合タンパク質を形質導入されたＭＤＡ−ＭＢ−２３１細胞を、ＮＯＤ／ＳＣＩＤマウスの尾静脈に注入し、インビボでの生物発光シグナルを１週間毎に定量化した。ビヒクル処置マウスまたはマラビロック処置マウス（１２時間毎に８ｍｇ／ｋｇ）の代表的なインビボ画像が、図５Ａに示されている。図５Ｂでは、対照群（赤線）および処置群（青線）におけるＢＬＩの定量化（平均値±ＳＥＭ、ｎ＝６）が示されている。不均一分散に対してウエルチ補正を用いるスチューデントｔ検定を使用して、統計比較（＊、Ｐ＝０．０４８）を行った。図５Ｃ１および５Ｃ２に示されるように、肺腫瘍の存在および処置間の差異を、エキソビボイメージング（左）および墨汁染色（右）によって実証した。図５Ｄに示されるように、転移性腫瘍を有するマウスの割合は、対照群において有意により大きかった（Ｐ＜０．０００１、フィッシャーの直接確率検定）。図５Ｅは、肺のスライドにおける転移性腫瘍で覆われた領域の組織学的解析（ヘマトキシリン＆エオシン染色、１００倍）および対応する定量化（図５Ｆに示されている）を示している。腫瘍領域を、ニコン社製Ｅｌｅｍｅｎｔｓ  ＢＲ３．０ソフトウェアを用い、マウス毎に２つの異なる組織切片の（互いに６００μｍ隔てられた）２つの無作為視野を弱拡大（４０倍）で解析して、定量化した。不均一分散に対してウエルチ補正を用いるスチューデントｔ検定を使用して、統計解析を行った（対照群および処置群についてはそれぞれ、ｎ＝３３および１２）。
【００５７】
図６Ａ〜６Ｈを参照すると、マラビロックが、肺におけるコロニー形成を低減するが、細胞増殖は変化させないことが示されている。図６Ａでは、乳がん細胞の生存率に対するＣＣＲ５拮抗薬の影響が示されている。ＭＤＡ−ＭＢ−２３１細胞を漸増する濃度のマラビロック（逆三角形）またはビクリビロック（四角）に４８時間暴露し、細胞生存率をＭＴＴアッセイで評価した。グラフは６連で行われた代表的な実験から得られたものである。３つの独立した実験に統計的有意差は見られなかった（分散分析）。図６Ｂでは、ｐｃＤＮＡ３．１＋／Ｚｅｏ＋（ＭＤＡ．ベクター）またはｐＣＤＮＡ３＋Ｚｅｏ＋にクローニングされたヒトＣＣＲ５（ＭＤＡ．ＣＣＲ５）を安定的に形質移入されたＭＤＡ−ＭＢ−２３１細胞におけるＣＣＲ５発現が示されている。図６Ｃにおいて、ＭＤＡ．ベクター対ＭＤＡ．ＣＣＲ５のインビトロでの増殖速度の比較では、差は示されなかった（分散分析）。６連で行われた２つからの代表的な実験。図６Ｄでは、確立した転移の成長に対するマラビロックのインビボでの影響を評価するために、図示されているように、ＭＤＡ．ｐＦＵＬＧ細胞の注入の１０日後にマウスの処置を開始した。図６Ｅでは、対照（赤／四角）および処置群（青／三角）におけるインビボでのＢＬＩの定量化（平均値±ＳＥＭ、ｎ＝５）は、成長速度において差を示さなかった。肺において一度確立された腫瘍腫瘍の成長速度に対するマラビロックの影響は存在しない。従って、肺における腫瘍体積の減少は、肺への腫瘍の「ホーミング（homing）」または拡散の阻害によるものである。図６Ｆは、肺におけるコロニー形成でのＣＣＲ５の役割を評価するために用いられた実験計画のスキームを示している。図６Ｇは、代表的な共焦点像を示しており、図６Ｈは、ＭＤＡ．ｐＦＵＬＧ細胞の注入から２４時間後の肺における、ｅＧＦＰ＋細胞の数の定量化を示している。マウス（ｎ＝５マウス／群）ごとの２つの異なる組織切片の（互いに７００μｍ隔てられた）３つの無作為視野において、ｅＧＦＰを発現している細胞をカウントした。スチューデントｔ検定を用いて統計解析を行った。顕微鏡像におけるバーは１００μｍである。
【００５８】
次に、図７Ａ１〜７Ｄ２を参照する。ＣＣＲ５およびＣＣＬ５の富化に関連する遺伝子発現シグナル経路を決定するために、本明細書に記載される腫瘍試料の、ＫＥＧＧおよびＧＯを用いるＧＳＥＡ解析を行った。図７ＡはＧＳＥＡ解析を示している。これらの研究により、リンパ球活性化、Ｊａｎｕｓ活性化キナーゼ（ＪＡＫ）−ＳＴＡＴシグナル伝達、およびＴｏｌｌ様受容体活性化を含む経路の遺伝子発現の富化が示された。ＣＣＬ５の受容体にはＣＣＲ１およびＣＣＲ３が含まれる。基底およびＨＥＲ−２遺伝子腫瘍型（図７Ｂ１〜７Ｂ５および７Ｃ１〜７Ｃ５）において、ＣＣＬ５の発現増加はＣＣＲ１の増加と関連しているが、ＣＣＲ３とは関連していない。化学療法を受けているＥＲ陰性患者において、ＣＣＲ５発現が減少した集団と比較して、ＣＣＲ５が増加した集団において、無転移生存および無再発生存の有意でない減少傾向があった（図７Ｄ１および７Ｄ２）。
【００５９】
図８Ａ〜８Ｄでは、正常乳房を乳がんと比べている、ＣＣＲ５、ＣＣＲ１、およびＣＣＲ３に対するＣＣＬ５の発現レベルの比較によって、正常乳房組織と比べて、腫瘍において、受容体とリガンドの発現レベルの間に高い相関が示された。図８Ａは、正常集団における、ＣＣＬ５発現並びにその受容体であるＣＣＲ５、ＣＣＲ１およびＣＣＲ３のヒートマップを図示している。正常集団は、乳がん２５５０例の集団の一部として、以前に報告された（Ertel, A., Dean, J. L., Rui, H., Liu, C., Witkiewicz, A. K., Knudsen, K. E., and Knudsen, E. S. RB-pathway disruption in breast cancer: differential association with disease subtypes, disease-specific prognosis and therapeutic response. Cell Cycle, 9: 4153-4163, 2010.）。
【００６０】
図９Ａ〜９Ｄ２を参照すると、基底の表現型および分子シグネチャを有する３種のヒト乳がん細胞系：ＭＤＡ−ＭＢ−２３１、Ｈｓ５７８Ｔ、およびＳＵＭ−１５９（３４〜３７）を、本研究のモデルとして用いた。ＦＡＣＳによるＣＣＲ５発現の解析により、小さな細胞亜集団が、３種全ての細胞株において、該受容体について陽性であったことが示された（ＭＤＡ−ＭＢ−２３１については図２Ａ、Ｈｓ５７８ＴおよびＳＵＭ−１５９については図９Ａおよび図９Ｃ）。ＣＣＲ５活性化はカルシウム流（３８、３９）を誘導するため、カルシウムシグナル伝達の活性化をＣＣＬ５によって評価した。ＣＣＬ５を培地に添加することにより、細胞亜集団においてカルシウム流が即時に誘導され（ＭＤＡ−ＭＢ−２３１については図２Ｂ、Ｈｓ５７８ＴおよびＳＵＭ−１５９については図９Ｂおよび図９Ｄ）、これにより、ＣＣＲ５が基底乳がん細胞において機能的であるという証拠が得られた。陽性対照として、同一の培地を５％ＦＢＳに曝した（４０）。相対蛍光強度によって評価されたカルシウム流は、ＦＢＳ添加後に、９５％を超える細胞において増加していた（図２Ｂならびに図９Ｂ、９Ｄ１、および９Ｄ２）。ＣＣＬ５依存的シグナル伝達をさらに特徴付けるために、ＳＵＭ１５９細胞に、ＣＣＲ５発現ベクターを安定に形質導入し、ＣＣＬ５に対するＣａ＋２応答を、ＦＢＳと比較して、行った（図１０Ｃおよび図１０Ｄ、並びに図１０Ｅおよび図１０Ｆ）。ＣＣＲ５は、ＣＣＲ５過剰発現細胞においてＣａ＋２シグナル伝達を誘導したが、両方の系が、ＦＢＳ誘導性Ｃａ−２活性化に対して同様に応答した（図１０Ａ１〜図１０Ｆ）。
【００６１】
ＣＣＲ５拮抗薬によるＣＣＲ５阻害がカルシウムシグナル伝達および細胞浸潤を低減させたという発見を鑑みて、インビボにおける肺転移に対するマラビロックの影響を決定した。実験転移モデルにおいて、ＭＤＡ−ＭＢ−２３１細胞に、Ｌｕｃ２−ｅＧＦＰレンチウイルスベクターを形質導入した（ＭＤＡ．ｐＦＵＬＧ細胞）。Ｌｕｃ２遺伝子はコドン最適化されたＬｕｃの異形であり、このレポーターを発現している細胞は、未改変Ｌｕｃ遺伝子よりも、１０〜１００倍より明るい（３０）。ＭＤＡ．ｐＦＵＬＧ細胞をマウスの尾静脈に注入した後、非浸潤性のＢＬＩによって、乳がん転移の早期発見が可能となった（４１）。１週間毎のＢＬＩを５週間行い、死前の輝度（radiance antemortem）を、腫瘍量の代替測定として用いた。マラビロック（８ｍｇ／ｋｇを１日２回）で処置されたマウスは、ビヒクル処置マウスと比較して、肺転移の数およびサイズの両方において有意な減少を示した（図５Ａおよび図５Ｂ、図１１Ａおよび図１１Ｂ）。不適切な染色によって転移が見逃される可能性を排除するため、肺のエキソビボイメージング、墨汁染色（図５Ｃ１および５Ｃ２）、および組織学的検査（図５Ｅ）を行った。組織学的解析によって、先に示された通り（３０）、腫瘍量が生物発光と対応していることが実証された。転移性腫瘍はマラビロック処置マウスの５０％においてなお検出可能であったが、それらの平均サイズは６５％減少していた（図５Ｄおよび図５Ｆ）。興味深いことに、対照マウスから得られた肺におけるＣＣＲ５発現の解析によって、ＣＣＲ５＋画分の８倍の富化が示された（図１２Ａ〜１２Ｆ）。まとめると、これらの結果により、ＣＣＲ５拮抗薬がインビボにおいて乳がん転移を低減するという証拠が得られた。
【００６２】
基底乳がんの高悪性度の臨床的挙動およびそれに対する標的化療法の欠如を鑑みて、ヒト乳がん細胞系ＭＤＡ−ＭＢ−２３１、Ｈｓ５７８ＴおよびＳＵＭ−１５９の浸潤および転移におけるＣＣＬ５／ＣＣＲ５の重要性を評価した。これらの細胞株は、乳がんの基底サブタイプの臨床病理学的な特徴（ＨＥＲ−２、ＥＲ、およびプロゲステロン受容体の欠如を含む）、基底細胞様（basal-like）分子シグネチャ、特定のシグナル経路（例えば、低酸素応答またはＥＧＦ受容体応答）の活性化、および上皮間葉転換タンパク質（ＦＮ、ＶＩＭ、および（ad）マトリックスメタロプロテアーゼ２；参考文献３４〜３７）の過剰発現を反映している。ＦＡＣＳ解析で評価した際、本研究で用いられた細胞株内のほんのわずかの細胞でしか、ＣＣＲ５は発現されていなかった。本研究において、逆転写酵素ＰＣＲによってＭＤＡ−ＭＢ−２３細胞におけるＣＣＲ５の発現が確認され、ＦＡＣＳ解析によってＣＣＲ５タンパク質の存在が示され（図１３Ａ１〜図１３Ｄ１）、正常乳房組織と比較してＣＣＲ５免疫組織化学染色が乳がん上皮細胞に主に局在化していたことが示された（図１４Ａ〜図１４Ｄ）。
【００６３】
本明細書で開示される結果は、ＣＣＬ５が基底細胞様ヒト乳がん細胞においてカルシウム流を活性化することを示している。選択的ＣＣＲ５拮抗薬であるマラビロックおよびビクリビロックを用いることで（共に３０ｎｍｏｌ／Ｌ未満のＩＣ５０を有する；参考文献４４、４５）、ＣＣＬ５活性化シグナル伝達がＣＣＲ５によって仲介されることが示された。しかし、ＣＣＬ５陽性細胞の割合（ＭＤＡ−ＭＢ−２３１細胞およびＨｓ５７８Ｔ細胞のそれぞれにおいて１０％および１２％）は、ＦＡＣＳによって決定されたＣＣＲ５発現細胞のパーセンテージよりも高かった。これは、ＦＡＣＳによる解析の感度と比較した場合の、Ｃａ２＋活性化アッセイのより高い感度のためであり得る。さらに、ＣＣＬ５誘導性カルシウム再分布は、ＣＣＲ５拮抗薬によって完全には阻止されていない。これは、ＣＣＬ５に対する他の受容体、すなわちＣＣＲ１およびＣＣＲ３の発現によって引き起こされ得る。ＣＣＲ５はＭＤＡ−ＭＢ−２３１細胞における主要なＣＣＬ５受容体として同定されており（１３）、ＣＣＲ１およびＣＣＲ３の転写物は、ＭＤＡ−ＭＢ−２３１細胞株またはＨｓ５７８Ｔ細胞株（８）および乳腺腫瘍試料（１１）の両方において存在しない。ＣＣＲ１およびＣＣＲ３はＦＡＣＳによって検出が可能であるが（図１３Ａ１〜図１３Ｄ）、このことは、ＣＣＲ５拮抗薬に対して不完全に応答する機構の可能性を示唆している。
【００６４】
一態様において、本発明は、ＮｅｕＴ、Ｈａ−Ｒａｓ、ｃ−Ｓｒｃおよびそれらの組み合わせからなる群から選択される内在性癌遺伝子またはウイルスにより形質導入された癌遺伝子を過剰発現する腫瘍細胞において、ＣＣＲ５および／またはそのリガンドのうちの一つまたは複数の発現をダウンレギュレートする候補化合物を同定するための、インビボにおける方法を提供する。一実施形態では、本方法は、（ａ）候補化合物を腫瘍細胞の動物モデルに投与すること；および（ｂ）動物モデルにおけるＣＣＲ５のＲＮＡまたはタンパク質の発現レベルを測定することを含み、動物モデルにおけるＣＣＲ５のＲＮＡまたはタンパク質の発現レベルが、未処置動物モデルにおけるＣＣＲ５のＲＮＡまたはタンパク質の発現レベルと比較して減少している場合、その候補化合物は、ＮｅｕＴ、Ｈａ−Ｒａｓ、ｃ−Ｓｒｃおよびそれらの組み合わせからなる群から選択される内在性癌遺伝子またはウイルスにより形質導入された癌遺伝子を過剰発現する腫瘍細胞において、ＣＣＲ５および／またはそのリガンドのうちの一つまたは複数の発現をダウンレギュレートする化合物と同定される。一実施形態では、腫瘍細胞は哺乳類前立腺がん細胞を含む。一実施形態では、腫瘍細胞は、ＮｅｕＴ、Ｈａ−Ｒａｓ、ｃ−Ｓｒｃおよびそれらの組み合わせからなる群から選択される癌遺伝子を保有するレトロウイルスベクターに感染した一連の哺乳類初代上皮細胞のうちの少なくとも一つまたは複数を含む、哺乳類前立腺がん細胞株を含む。
【００６５】
本発明での使用に適した哺乳類前立腺がん細胞株の例としては、限定はされないが、２０１２年５月１４日に出願された米国仮特許出願第６１／６４６，５８６号で開示されている哺乳類前立腺がん細胞株が挙げられ、該米国仮特許出願の内容はその全体が参照によって本明細書に組み込まれている。一実施形態では、哺乳類前立腺がん細胞株は、癌遺伝子を保有するレトロウイルスベクターに感染した一連の哺乳類初代上皮細胞のうちの少なくとも一つまたは複数を含む。一実施形態では、前記癌遺伝子は、ｃ−Ｍｙｃ、Ｈａ−Ｒａｓ、ＮｅｕＴ、ｃ−Ｓｒｃおよびそれらの組み合わせからなる群から選択される。哺乳類前立腺がん細胞株の一実施形態では、ｃ−Ｍｙｃ、Ｈａ−Ｒａｓ、ＮｅｕＴ、ｃ−Ｓｒｃおよびそれらの組み合わせからなる群から選択される癌遺伝子が発現される。哺乳類前立腺がん細胞株には、マウス初代上皮細胞を含む、いかなる適切な哺乳類細胞も含まれ得る。いくつかの実施形態において、哺乳類初代上皮細胞は、いかなる免疫適格性の哺乳動物からも得られる。一実施形態では、哺乳類初代上皮細胞は、げっ歯類（例えば、ラットおよびマウス）からなる群から選択される、免疫適格性の哺乳動物から得られる。
【００６６】
いくつかの実施形態において、がんの適切な動物モデルは、ｃ−Ｍｙｃ、Ｈａ−Ｒａｓ、ＮｅｕＴ、ｃ−Ｓｒｃおよびそれらの組み合わせからなる群から選択される一連の癌遺伝子のうちの一つまたは複数で形質転換されたがん細胞株を移植された免疫適格性の哺乳動物を含む。一実施形態では、がんの動物モデルは、ｃ−Ｍｙｃ、Ｈａ−Ｒａｓ、ＮｅｕＴ、ｃ−Ｓｒｃおよびそれらの組み合わせからなる群から選択される一連の癌遺伝子のうちの一つまたは複数の発現レベルに基づく、検出可能な分子遺伝学的シグネチャを生むことが可能な前立腺腫瘍を発生させる本発明の哺乳類前立腺がん細胞株を用いて作製された、免疫適格性のトランスジェニックマウスである。
【００６７】
いくつかの実施形態において、がんの適切な動物モデルは、インビトロ法によって作製される。一実施形態では、適切な動物モデルを作製するためのインビトロ法は、不死化した哺乳類初代上皮細胞の作製を含む。一実施形態では、不死化した哺乳類初代上皮細胞をインビトロで作製するための方法は、哺乳類初代上皮細胞をｃ−Ｍｙｃ、Ｈａ−Ｒａｓ、ＮｅｕＴ、ｃ−Ｓｒｃおよびそれらの組み合わせからなる群から選択される癌遺伝子を保有するレトロウイルスベクターに感染させて、感染細胞を作製することを含み、ここで、該哺乳類初代上皮細胞は、前記レトロウイルスベクターによって、且つｃ−Ｍｙｃ、Ｈａ−Ｒａｓ、ＮｅｕＴ、ｃ−Ｓｒｃおよびそれらの組み合わせが前記感染細胞において発現される条件下で、感染されることが可能である。
【実施例】
【００６８】
Ｉ．実施例
Ａ．材料および方法
Ａ．１．  乳がん患者のデータセットおよび統計解析
公共レポジトリであるＧｅｎｅ  Ｅｘｐｒｅｓｓｉｏｎ  Ｏｍｎｉｂｕｓ（２３）およびＡｒｒａｙＥｘｐｒｅｓｓ（２４）から以前に集められた（２１）マイクロアレイのデータセットを用いて、臨床試料との関連において、ＣＣＲ５およびＣＣＬ５の発現を評価した。このデータセットにおける試料を、ルミナールＡ、ルミナールＢ、正常様、基底、およびＨＥＲ−２過剰発現疾患を含む、５つの標準的な乳がんサブタイプに割り当てた。これら５つのサブタイプ間のマイクロアレイ試料の分類は、各サブタイプを代表する発現プロファイル重心（centroid）に対するそれらの相関を算出し、最も高い対応する相関係数を有するサブタイプに試料を割り当てることによって達成された（２５）。０．３未満の最大相関係数を有する試料は未分類とみなした。次に、特にルミナールＡ、ルミナールＢ、基底、正常様、およびＨＥＲ−２サブタイプの中で、ＣＣＬ５およびＣＣＲ５転写物の解析を行った。これら試料サブセット中の平均した遺伝子シグネチャ規模の発現差異を、両側スチューデントｔ検定を用いて評価した。カプラン・マイヤー解析を用いて、試料サブセット内の生存傾向を評価した。また、ＣＣＲ５試料に対するＣＣＬ５試料の散布図を作成し、各サブタイプに特異的な同時制御パターンを観察した。これらの散布図のために、遺伝子プロファイルを中央値で合わせ、単一ＳＤに基準化した。
【００６９】
Ａ．２．  細胞株および細胞培養
ＭＤＡ−ＭＢ−２３１、ＭＣＦ−７、およびＨｓ５７８Ｔ細胞は、１０％ＦＢＳを添加したダルベッコ変法イーグル培地（ＤＭＥＭ）中で維持した。ＳＵＭ−１５９細胞（ミシガン州デトロイトウェイン州立大学のＳｔｅｐｈｅｎ  Ｅｔｈｉｅｒ博士から好意により提供）は、４μｇ／ｍＬのインスリン、１μｇ／ｍＬのヒドロコルチゾン、および５％ＦＢＳを添加したハムＦ‐１２中で維持した。ＭＣＦ−１０Ａ細胞の癌遺伝子形質転換誘導体（ＭＣＦ１０Ａ−ＮｅｕＴ、ＭＣＦ１０Ａ−Ｓｒｃ、およびＭＣＦ１０Ａ−Ｒａｓ；参考文献２６）は、４ｍｇ／ｍＬのインスリン、１０ｎｇ／ｍＬのＥＧＦ、および１ｍｇ／ｍＬのヒドロコルチゾンを添加したＤＭＥＭ：ハムＦ‐１２（５０の５０（50 of 50））中で維持した。合計１００μｇ／ｍＬの各ペニシリンおよびストレプトマイシンを、全培地に含ませた。細胞は５％ＣＯ２、３７℃で培養した。インビトロ処置のために、マラビロックをジメチルスルホキシド（ＤＭＳＯ）に溶解させ、培地で希釈した。処置培地および対照培地中のＤＭＳＯの最終濃度は０．５％であった。ビクリビロックは培地中に溶解した。
【００７０】
Ａ．３．  蛍光標識細胞分取解析
ＣＣＲ５についての細胞標識および蛍光標識細胞分取（ＦＡＣＳ）解析は、若干の修正を加えた、先の刊行物（２７）に基づくものであった。標識の前に、細胞を正常マウスＩｇＧ（１００の１（1 of 100））および精製ラット抗マウスＦｃγＩＩＩ／ＩＩ受容体抗体（１００の１（1 of 100）；ファーミンゲン社（Pharmingen））で３０分間ブロッキングし、次に、アロフィコシアニン（ＡＰＣ）標識ＣＣＲ５抗体（Ｒ＆Ｄシステムズ社）と一緒にインキュベートした。全ての実験は４℃で行った。試料分析はＦＡＣＳＣａｌｉｂｕｒフローサイトメーター（ＢＤバイオサイエンス社）上で行った。これらのデータはＦｌｏｗＪｏソフトウェア（ツリースター社（Tree Star, Inc.））を用いて解析した。
【００７１】
Ａ．４．  浸潤アッセイ
３次元浸潤アッセイを先に報告された通りに行った（１２）。簡潔に説明すると、１００μＬの１．６７ｍｇ／ｍＬラット尾部コラーゲンＩ型（ＢＤバイオサイエンス社）を、２４ウェル８μｍ孔Ｔｒａｎｓｗｅｌｌ（コーニング社）の上部チャンバにピペットで添加した。Ｔｒａｎｓｗｅｌｌを３７℃で一晩インキュベートし、コラーゲンを凝固させた。次に、合計３０，０００個の細胞をＴｒａｎｓｗｅｌｌ膜の底に播種し、接着させた。無血清増殖培地を下部チャンバに入れて、一方、１５ｎｇ／ｍＬのＣＣＬ５または５％ＦＢＳを上部チャンバの培地中に化学誘引物質として用いた。次に、細胞を、上方のコラーゲンを通してフィルターを越えて３日間化学誘引した。細胞を４％ホルムアルデヒドで固定し、ＰＢＳ中０．２％Ｔｒｉｔｏｎ−Ｘで透過処理し、次いで、４０μｇ／ｍＬのヨウ化プロピジウム（ＰＩ）で２時間染色した。蛍光を、キメルがんセンターバイオイメージング施設（Kimmel Cancer Center Bioimaging Facility）で、Ｚｅｉｓｓ  ＬＳＭ  ５１０  Ｍｅｔａ倒立共焦点顕微鏡を用いて、フィルターの底面からの１０倍の拡大率の共焦点ｚ形断面（２０μｍ毎に１断面）により、解析した。
【００７２】
Ａ．５．  細胞内カルシウムアッセイ
ヒトがん細胞株においてＣＣＬ５またはＦＢＳによって誘導されるカルシウム応答を、先に報告された通りに蛍光共焦点顕微鏡下でモニターした（２８）。簡潔に説明すると、乳がん細胞を、４ウェルｌａｂｔｅｋチャンバ（ヌンク社）内に１０４細胞／ｃｍ２で播種し、１日間インキュベートした。１２時間の飢餓状態の後、細胞をＨＢＳＳ中２ｍｍｏｌ／ＬのＦｌｕｏ−４−ＡＭ（モレキュラープローブス社）と一緒に３０分間インキュベートすることにより標識し、２回洗浄し、さらに３０分間インキュベートし、その後顕微鏡下でイメージングした。微速度撮影画像を、３７℃の恒温器と共にＺｅｉｓｓ  ＬＳＭ  ５１０  Ｍｅｔａ倒立共焦点顕微鏡を用いて集めた。相対細胞内Ｃａ２＋濃度を、ＣＣＬ５（６０ｎｇ／ｍＬ）またはＦＢＳ（５％）を添加した際のＦｌｕｏ−４−ＡＭの蛍光強度（ＦＩ）における変化によって決定し、（ＦＩｔ−ＦＩ０）／ＦＩ０として算出した。
【００７３】
Ａ．６．  ＭＴＴアッセイ
ＭＴＴアッセイは、細胞酵素がテトラゾリウム色素、３−（４，５−ジメチルチアゾール−２−イル）−２，５−ジフェニルテトラゾリウムブロマイド、黄色のテトラゾール（ＭＴＴ）を、紫色を呈色するその不溶性ホルマザンに還元する活性を測定するための、比色分析である。これらのアッセイは、ＮＡＤ（Ｐ）Ｈ依存性細胞性酸化還元酵素を介した細胞代謝活性を測定し、定義された条件下で、生細胞の数（細胞増殖）を反映し得る。テトラゾリウム色素アッセイを用いて、候補薬剤および有毒物質の細胞毒性（生細胞の減少）または細胞分裂停止活性（増殖性状態から静止状態への移行）を測定することもできる。ＭＴＴ試薬は感光性であることから、ＭＴＴアッセイは通常は暗所で行われる。
【００７４】
ＣＣＲ５拮抗薬の細胞生存率および増殖速度に対する影響を、可溶性テトラゾリウム塩ＭＴＴアッセイを用いて評価した（２９）。ＭＴＴは生細胞のミトコンドリアによって還元され、還元されたホルマザンの量は生細胞の数に比例する。前記薬剤への暴露から７２時間後、細胞を１ｍｇ／ｍＬのＭＴＴと一緒に９０分間インキュベートした。次に、還元された（不溶性且つ有色の）ホルマザンをＤＭＳＯ中に溶解し、分光測定で５７０ｎｍで測定した。乳がん細胞増殖におけるＣＣＲ５過剰発現の影響を、以前に報告された通りの、ｐｃＤＮＡ３．１＋／Ｚｅｏ＋ベクターにサブクローニングした完全長ヒトＣＣＲ５を形質移入し、Ｚｅｏｃｉｎ（２００μｇ／ｍＬ）で選択したＭＤＡ−ＭＢ−２３１細胞（トロント大学（カナダオンタリオ州トロント）のＥｌｅａｎｏｒ  Ｆｉｓｈ博士の好意により提供）において研究した（１８）。ＭＴＴアッセイは９６ウェルマイクロプレートを用いて６連で行った。
【００７５】
Ａ．７．  ウイルス性の細胞導入
ホタルルシフェラーゼ２（Ｌｕｃ２）−ｅＧＦＰ融合タンパク質をコードするレンチウイルスベクターは、Ｓａｎｊｉｖ  Ｓ．  Ｇａｍｂｈｉｒ博士（スタンフォード大学医学部、カリフォルニア州スタンフォード；参考文献３０）から好意により提供された。レンチウイルス増殖は、Ｚａｈｌｅｒら（３１）に記載のプロトコルに従って行った。乳がん細胞系は、８ｍｇ／ｍＬのポリブレン（シグマ社）の存在下、感染多重度２０で、２４時間形質導入した（３０、３１）。
【００７６】
Ａ．８．  実験的転移アッセイおよび生物発光画像法
Ｌｕｃ２−ｅＧＦＰを発現するＭＢ−ＭＤＡ−２３１細胞（本明細書の残りの部分ではＭＤＡ．ｐＦＬＵＧと称される）を、非酵素的細胞解離緩衝液（Ｃａ２＋およびＭｇ２＋非含有ＰＢＳ中４ｍｍｏｌ／ＬのＥＤＴＡ）を用いて剥離し、Ｃａ２＋およびＭｇ２＋を含有しないダルベッコＰＢＳ中に懸濁し、即座に、８週齢、雌、非肥満性の糖尿病／重症複合免疫不全（ＮＯＤ／ＳＣＩＤ）マウス（ＮＣＩ、メリーランド州ベテスダ）の尾静脈に注射した。各マウスは１０６個の細胞を与えられた。マウスを、強制経口投与により、マラビロック（１２時間ごとに８ｍｇ／ｋｇ）またはビヒクル（酸性化した水中の５％ＤＭＳＯ；参考文献３２）で処置した。確立した転移の増殖を解析する実験のために、処置を注射直後または１０日後に開始した。インビボ生物発光画像法（ＢＬＩ）のために、マウスに、２００μＬのｄ−ルシフェリン（３０ｍｇ／ｍＬ）を含む腹腔内（ｉ．ｐ．）注射を与えた。マウスをイソフルラン（１Ｌ／分の酸素中２％）で安楽死させ、生物発光画像を、ＩＶＩＳ  ＸＲシステム（キャリパーライフサイエンス社（Caliper Life Sciences））を用いて、ｄ−ルシフェリン注射の１０〜１５分後に撮影した。撮像時間は１０秒（後期の時点）〜５分（早期の時点）の範囲であった。データは全光子束として表され、Ｌｉｖｉｎｇ  Ｉｍａｇｅ  ３．０ソフトウェア（キャリパーライフサイエンス社）を用いて解析した。エキソビボＢＬＩにおいて、ｄ−ルシフェリンをＰＢＳ中で３００μｇ／ｍＬの最終濃度に希釈し、それを用いて、新たに分離した肺をイメージング前に２〜３分間浸した。いくつかの肺を、先に報告された通りに墨汁で染色するか（３３）、またはヘマトキシリンおよびエオシンで処理および染色して、肺腫瘍の存在を実証した。ホーミングアッセイ（homing assay）において、ＭＤＡ．ｐＦＵＬＧ細胞の静脈内注射から２４時間後にマウスを安楽死させた。肺をＰＢＳで灌流し、新たに調製したホルムアルデヒド（ＰＢＳ中４％）で固定し、最適切削温度に凍結した（サクラファインテック社（Sakura Finetek））。凍結切片（１０μｍ）を４′，６−ジアミジノ−２−フェニルインドールで対比染色し、共焦点顕微鏡で解析した。動物実験はトマス・ジェファーソン大学の施設内動物管理使用委員会によって承認されたものであった。
【００７７】
Ａ．９．  試薬および抗体
ＣＣＬ５（カタログ番号２７８−ＲＮ）および抗ＣＣＲ５  ＡＰＣ抗体（カタログ番号ＦＡＢ１８０２Ａ）は、Ｒ＆Ｄシステムズ社から購入した。ウサギ抗ヒトＣＣＲ５ポリクローナル抗体（ジェンスクリプト（ＧｅｎＳｃｉｐｔ）；カタログ番号Ａ００９７９）を免疫組織化学染色に用いた。ラット尾部コラーゲンＩ型はＢＤバイオサイエンス社から購入した。ビクリビロックおよびマラビロックはセレック・ケミカルズ社（Selleck Chemicals）から入手した。ルシフェリンはゴールド・バイオテクノロジー社（Gold Biotechnology）から入手した。
【００７８】
Ｂ．  結果
Ｂ．１．  基底乳がんにおける活性ＣＣＬ５／ＣＣＲ５シグナル伝達
遺伝子サブタイプによるＣＣＬ５およびその受容体ＣＣＲ５の相対的存在量を調べるため、２７回の独立した研究から得られたヒト乳がん試料２，２５４例を含む複合マイクロアレイデータベース内で照合を行った（２１）。ＣＣＬ５およびＣＣＲ５の相対的存在量は、正常様、ルミナールＡおよびルミナールＢサブタイプと比較して、基底およびＨＥＲ−２サブタイプにおいて有意に増加していた（図１Ａ）。ＣＣＬ５およびＣＣＲ５の発現増加は個々の乳がん試料において正に相関しており、その相関は基底およびＨＥＲ−２サブタイプにおいて高度に有意であった（図１Ｂ１〜１Ｂ５）。ＣＣＬ５／ＣＣＲ５陽性シグネチャを有する患者の割合は、基底およびＨＥＲ−２サブタイプにおいて５８％を超えていた（図１Ｃ）。先の報告と一致して、このデータベース内の前記症例の臨床情報は、転移を発生する確率が基底、ルミナールＢ、およびＨＥＲ−２サブタイプにおいて増加していることを示した（図１Ｄ）。
【００７９】
ＣＣＲ５およびＣＣＬ５の富化に関連する遺伝子発現シグナル経路を決定するため、これらの腫瘍試料の、ＫＥＧＧおよびＧＯを用いたＧＳＥＡ解析を行った（図７Ａ）。これらの研究により、リンパ球活性化、Ｊａｎｕｓ活性化キナーゼ（ＪＡＫ）−ＳＴＡＴシグナル伝達、およびＴｏｌｌ様受容体活性化を含む経路の遺伝子発現の富化が示された（図７Ａ）。ＣＣＬ５の受容体にはＣＣＲ１およびＣＣＲ３が含まれる。基底およびＨＥＲ−２遺伝子腫瘍型（図７Ｂ１〜７Ｂ５および７Ｃ１〜７Ｃ５）において、ＣＣＬ５の発現増加はＣＣＲ１の増加と関連しているが、ＣＣＲ３とは関連していない。化学療法を受けているＥＲ陰性患者において、ＣＣＲ５発現が減少した集団と比較して、ＣＣＲ５が増加した集団において、無転移生存および無再発生存の有意でない減少傾向があった（図７Ｄ１および７Ｄ２）。正常乳房を乳がんと比較べるＣＣＲ５、ＣＣＲ１、およびＣＣＲ３に対するＣＣＬ５の発現レベルの比較によって、正常乳房組織と比べて、腫瘍における受容体発現レベルおよびリガンド発現レベルの間の高い相関が示された（図８Ａ）。
【００８０】
Ｂ．２．  Ｃｃｌ５は乳がんのＣａ２＋シグナル伝達および細胞浸潤を促進する
基底の表現型および分子シグネチャを有する３種のヒト乳がん細胞系：ＭＤＡ−ＭＢ−２３１、Ｈｓ５７８Ｔ、およびＳＵＭ−１５９（３４〜３７）を、本明細書に記載の研究のモデルとして用いた。ＦＡＣＳによるＣＣＲ５発現の解析により、小さな細胞亜集団が、３種全ての細胞株において、該受容体について陽性であったことが示された（ＭＤＡ−ＭＢ−２３１については図２Ａ、Ｈｓ５７８ＴおよびＳＵＭ−１５９については図９Ａおよび図９Ｃ）。ＣＣＲ５活性化はカルシウム流を誘導する（３８、３９）ため、カルシウムシグナル伝達の活性化をＣＣＬ５によって評価した。ＣＣＬ５を培地に添加することにより、細胞亜集団においてカルシウム流が即時に誘導され（ＭＤＡ−ＭＢ−２３１については図２Ｂ、Ｈｓ５７８ＴおよびＳＵＭ−１５９については図９Ｂ１／９Ｂ２および図９Ｄ１／９Ｄ２）、これにより、ＣＣＲ５が基底乳がん細胞において機能的であるという証拠が得られた。陽性対照として、同一の培地を５％ＦＢＳに曝した（４０）。相対蛍光強度によって評価されたカルシウム流は、ＦＢＳ添加後に、９５％を超える細胞において増加していた（図２Ｂ１／２Ｂ２および図９Ｂ１／９Ｂ２および９Ｄ１／９Ｄ２）。ＣＣＬ５依存的シグナル伝達をさらに特徴付けるために、ＳＵＭ１５９細胞に、ＣＣＲ５発現ベクターを安定に形質導入し、ＣＣＬ５に対するＣａ＋２応答を、ＦＢＳと比較して、行った（図１０Ｃおよび図１０Ｄ、並びに図１０Ｅおよび図１０Ｆ）。ＣＣＲ５は、ＣＣＲ５過剰発現細胞においてＣａ＋２シグナル伝達を誘導したが、両方の系が、ＦＢＳ誘導性Ｃａ＋２活性化に対して同様に応答した（図１０Ａ１〜図１０Ｆ）。
【００８１】
次に、乳がん細胞浸潤に対するＣＣＲ５活性化の影響を、３次元遊走アッセイを用いて評価した。ＣＣＬ５は基底ＭＤＡ−ＭＢ−２３１、Ｈｓ５７８Ｔ、ＳＵＭ−１５９の浸潤を誘導したが、ルミナールＭＣＦ−７細胞の浸潤は誘導しなかった（図２Ｃおよび２Ｄ）。ＣＣＬ５は、ＭＣＦ１０Ａベクター形質導入細胞と比較して、ＮｅｕＴ、Ｈ−Ｒａｓ、またはｃ−Ｓｒｃ癌遺伝子を発現するよう操作されたＭＣＦ−１０Ａ細胞の浸潤を促進したが（図２Ｅおよび図２Ｆ）、このことは、ＣＣＬ５応答性が形質転換の際に得られ、特異的且つ協同的な発癌性シグナルを必要とすることを示している。ＣＣＬ５が細胞浸潤を誘導したという発見から、ＣＣＲ５−細胞の遊走能と比較してＣＣＲ５＋細胞の遊走能を調べることとなった。同一のＳＵＭ−１５９乳がん細胞系の中で、ＣＣＲ５＋細胞はおよそ４０倍大きな細胞浸潤性を示したが（図２Ｇおよび図２Ｈ）、このことは、ＣＣＲ５の発現が浸潤誘発性（proinvasive）表現型と相関することを示している。
【００８２】
Ｂ．３．  ＣＣＲ５拮抗薬は乳がんのカルシウムシグナル伝達および細胞浸潤を阻止する
ＨＩＶ感染におけるＣＣＲ５の重要性から、この受容体を標的とする様々な薬剤の開発が行われた。従って、ＣＣＲ５拮抗薬であるマラビロックおよびビクリビロックが基底乳がん細胞におけるＣＣＬ５／ＣＣＲ５シグナル伝達を阻止することができるかどうかの試験を行った。両方のＣＣＲ５拮抗薬がＣＣＬ５誘導性カルシウム動員を阻止した。ＭＤＡ−ＭＢ−２３１細胞において、マラビロックおよびビクリビロックは、カルシウム応答をそれぞれ６５％および９０％阻害した（図３Ａおよび図３Ｂ）。同様の観察を、両薬剤を用いてＨｓ５７８Ｔ細胞において行ったところ（図３Ｃ１〜３Ｃ４および図３Ｄ）、様々な基底乳がん細胞で発現されるＣＣＲ５が薬理学的阻害に感受性を有することが示された。
【００８３】
細胞の遊走および浸潤におけるＣＣＲ５の機能的関連性を評価するために、マラビロックおよびビクリビロックの影響を、３次元浸潤アッセイにおいて試験した。２つの異なる細胞株を用いて、両方のＣＣＲ５拮抗薬が臨床的に意義のある１００ｎｍｏｌ／Ｌの濃度においてＦＢＳ誘導性乳がん細胞浸潤を阻害したことが分かった（図４Ａ〜図４Ｄ）。従って、ＣＣＲ５の浸潤誘導性効果は特定の拮抗薬を用いることで抑制され得る。
【００８４】
Ｂ．４．  ＣＣＲ５阻害はインビボにおいて乳がん転移を阻止する
ＣＣＲ５拮抗薬によるＣＣＲ５阻害がカルシウムシグナル伝達および細胞浸潤を低減させたという発見を鑑みて、インビボにおける肺転移に対するマラビロックの影響を決定した。Ｌｕｃ２−ｅＧＦＰレンチウイルスベクターを形質導入したＭＤＡ−ＭＢ−２３１細胞（ＭＤＡ．ｐＦＵＬＧ細胞）を、実験転移モデルで用いた。Ｌｕｃ２遺伝子はコドン最適化されたＬｕｃの異形であり、このレポーターを発現している細胞は、未改変Ｌｕｃ遺伝子よりも、１０〜１００倍より明るい（３０）。ＭＤＡ．ｐＦＵＬＧ細胞をマウスの尾静脈に注入した後、非浸潤性のＢＬＩによって、乳がん転移の早期発見が可能となった（４１）。１週間毎のＢＬＩを５週間行い、死前の輝度（radiance antemortem）を、腫瘍量の代替測定として用いた。マラビロック（８ｍｇ／ｋｇを１日２回）で処置されたマウスは、ビヒクル処置マウスと比較して、肺転移の数およびサイズの両方において有意な減少を示した（図５ＡおよびＢ、図１１Ａおよび図１１Ｂ）。不適切な染色によって転移が見逃される可能性を排除するため、肺のエキソビボイメージング、墨汁染色（図５Ｃ１および５Ｃ２）、および組織学的検査（図５Ｅ）を行った。組織学的解析によって、先に示された通り（３０）、腫瘍量が生物発光と対応していることが実証された。転移性腫瘍はマラビロック処置マウスの５０％においてなお検出可能であったが、それらの平均サイズは６５％減少していた（図５Ｄおよび図５Ｆ）。興味深いことに、対照マウスから得られた肺におけるＣＣＲ５発現の解析によって、ＣＣＲ５−画分の８倍の富化が示された（図１２Ａ〜１２Ｆ）。まとめると、これらの結果により、ＣＣＲ５拮抗薬がインビボにおいて乳がん転移を低減するという証拠が得られた。
【００８５】
Ｂ．５．  ＣＣＲ５拮抗薬は肺コロニー形成を低減させるが、細胞増殖または腫瘍増殖は低減しない
マラビロックによる転移性腫瘍の減少が、細胞増殖および／または標的器官コロニー形成における変化に関与するかどうかを判定した。インビトロおよびインビボの両方における細胞生存率および増殖に対するＣＣＲ５阻害の影響を分析した。ＭＤＡ−ＭＢ−２３１細胞の４８時間のマラビロックまたはビクリビロック処置は、がん細胞数の代替測定として用いられたＭＴＴ還元に影響を与えなかった（図６Ａ）。それと一致して、ＭＤＡ−ＭＢ−２３１細胞におけるＣＣＲ５の過剰発現は、空ベクターを形質移入された細胞と比較して、それらの増殖速度を変化させなかった（図６Ｂおよび図６Ｃ）。そして、確立した肺転移を有するマウスのマラビロック処置は、腫瘍増殖を変化させず（図６Ｄおよび図６Ｅ）、このことは、ＣＣＲ５活性化が、基底乳がん細胞の増殖を、インビトロにおいても免疫不全マウスの肺の微小環境においても促進しなかったことを示している。
【００８６】
別のインビボ実験において、肺への乳がん細胞のホーミングに対するマラビロックの影響を調べた。血漿および組織における定常状態濃度に到達させるため、マウスに１０回のマラビロック投与（１日２回を５日間）を与え、その後、ＭＤＡ．ｐＦＵＬＧ細胞を静脈内注射した（図６Ｆ）。対照群および処置群における同数のＭＤＡ．ｐＦＵＬＧ細胞の接種は、注射直後のＢＬＩによって確証された。マラビロックは肺におけるｅＧＦＰ＋細胞の数を４０％減少させ（図６Ｇおよび図６Ｈ）、このことは、インビボにおけるマラビロックの転移抑制効果が、循環から標的器官に移動するがん細胞の数の減少によって引き起こされることを示唆している。
【００８７】
Ｃ．  考察
本研究により、（ｉ）ＣＣＬ５／ＣＣＲ５発現の富化が乳がんの基底およびＨｅｒ２陽性遺伝子サブタイプを有する患者において生じていること；（ｉｉ）異なる癌遺伝子による不死化ヒト乳腺細胞の発癌性形質転換がＣＣＬ５応答性を誘導すること；並びに（ｉｉｉ）ＣＣＲ５栄養性ＨＩＶ感染を治療するためのＦＤＡ承認薬であるマラビロックが、インビボにおいて転移性腫瘍量を減少させること、が初めて示される。
【００８８】
以前の研究により、ＣＣＬ５レベルが原発性および転移性乳房腫瘍において上昇していることが示されたが（９〜１１）、このことは、悪性腫瘍の獲得におけるＣＣＬ５の役割を示唆するものである。本開示により、ＣＣＬ５およびＣＣＲ５の発現増加が関連していること、並びにＣＣＬ５／ＣＣＲ５発現レベルが乳がんの異なる遺伝子サブタイプ間で異なることが示される。ＣＣＬ５およびＣＣＲ５の発現増加は基底およびＨＥＲ−２サブタイプにおいて見られる。それと一致して、ＣＣＬ５発現の増加は、ＥＲ陰性患者において主に見られた（４２）。また、ＣＣＬ５の増加は乳がんの基底およびＨｅｒ２遺伝子サブタイプにおけるＣＣＲ１の増加と相関した。無転移生存および無再発生存が減少する傾向が、化学療法を受けた患者におけるＣＣＲ５過剰発現腫瘍の間で観察された。
【００８９】
基底乳がんの高悪性度の臨床的挙動およびそれに対する標的化療法の欠如を鑑みて、浸潤および転移におけるＣＣＬ５／ＣＣＲ５軸の重要性を、ヒト乳がん細胞系ＭＤＡ−ＭＢ−２３１、Ｈｓ５７８ＴおよびＳＵＭ−１５９において評価した。これらの細胞株は、乳がんの基底サブタイプの臨床病理学的な特徴（ＨＥＲ−２、ＥＲ、およびプロゲステロン受容体の欠如を含む）、基底細胞様（basal-like）分子シグネチャ、特定のシグナル経路（例えば、低酸素応答またはＥＧＦ受容体応答）の活性化、および上皮間葉転換タンパク質（ＦＮ、ＶＩＭ、およびマトリックスメタロプロテアーゼ２；参考文献３４〜３７）の過剰発現を反映している。ＦＡＣＳ解析で評価した際、本研究で用いられた細胞株内のほんのわずかの細胞でしか、ＣＣＲ５は発現されていなかった。我々の発見は、定量的リアルタイムＰＣＲによってＭＤＡ−ＭＢ−２３１におけるＣＣＲ５発現を示したＭｕｌｌｅｒらによる研究と一致している（８）。これらの研究において、逆転写酵素ＰＣＲによってＭＤＡ−ＭＢ−２３細胞におけるＣＣＲ５の発現が確認され、ＦＡＣＳ解析によってＣＣＲ５タンパク質の存在が示され（図１３Ａ１〜図１３Ｄ）、正常乳房組織と比較してＣＣＲ５免疫組織化学染色が乳がん上皮細胞に主に局在化していたことが示された（図１４Ａ〜図１４Ｄ）。
【００９０】
本明細書に記載される結果は、免疫系の細胞（３９、４３）およびＣＣＲ５トランスフェクト細胞（２７、４４、４５）において先に報告されたのと同様の、基底細胞様ヒト乳がん細胞におけるＣＣＬ５活性化カルシウム流を示している。選択的ＣＣＲ５拮抗薬であるマラビロックおよびビクリビロックを用いることで（共に３０ｎｍｏｌ／Ｌ未満のＩＣ５０を有する；参考文献４４、４５）、ＣＣＬ５活性化シグナル伝達がＣＣＲ５によって仲介されることが示された。しかし、ＣＣＬ５陽性細胞の割合（ＭＤＡ−ＭＢ−２３１細胞およびＨｓ５７８Ｔ細胞のそれぞれにおいて１０％および１２％）は、ＦＡＣＳによって決定されたＣＣＲ５発現細胞のパーセンテージよりも高かった。これは、ＦＡＣＳによる解析の感度と比較した場合の、Ｃａ２−活性化アッセイのより高い感度のためであり得る。さらに、ＣＣＬ５誘導性カルシウム再分布は、ＣＣＲ５拮抗薬によって完全には阻止されていない。これは、ＣＣＬ５に対する他の受容体、すなわちＣＣＲ１およびＣＣＲ３の発現によって引き起こされ得る。ＣＣＲ５はＭＤＡ−ＭＢ−２３１細胞における主要なＣＣＬ５受容体として同定されており（１３）、ＣＣＲ１およびＣＣＲ３の転写物は、ＭＤＡ−ＭＢ−２３１細胞株またはＨｓ５７８Ｔ細胞株（８）および乳腺腫瘍試料（１１）の両方において存在しない。ＣＣＲ１およびＣＣＲ３はＦＡＣＳによって検出が可能であるが（図１３Ａ１〜図１３Ｄ）、このことは、ＣＣＲ５拮抗薬に対して不完全に応答する機構の可能性を示唆している。
【００９１】
ＣＣＲ５＋細胞の亜集団が浸潤性の増加を示したことが観察されたが、このことは、ＣＣＲ５が基底細胞様乳がん細胞における細胞遊走および浸潤に有利であることを示している。ルミナール様ＭＣＦ−７細胞がＣＣＬ５に応答しないことは、先の公表と一致する（１２）。これらの研究により、マラビロックまたはビクリビロックによるＣＣＲ５阻害が、インビトロにおいて、細胞生存率に影響を与えずに、ＦＢＳ誘導性乳がん細胞浸潤を減少させたことも示された。ＣＣＲ５拮抗薬がＦＢＳ誘導性浸潤を阻止するという発見は新しいものであり、ＣＣＲ５活性化が、様々な走化性シグナルおよび増殖シグナルが存在するインビボにおいて、転移の発生に寄与していることを示唆している。ＦＢＳにより活性化される浸潤性のＣＣＲ５調節に関与する機構は特徴付けされていないが、それらは、非がん性細胞において説明された通り、他のＧＰＣＲのヘテロ二量体化およびリガンド親和性調節（４６）、または増殖因子受容体のトランス活性化（４７）、またはインテグリン介在性シグナル伝達（４８）を含み得る。
【００９２】
インビボにおけるマラビロックの転移抑制効果は、ＭＤＡ．ｐＦＵＬＧ細胞を免疫不全マウスの循環に注射し、それらを臨床的に意義のある用量の該薬剤で処置することによって示された。ヒトにおいては、３００ｍｇの経口投与量によって１，２００ｎｍｏｌ／Ｌの平均Ｃｍａｘがもたらされ（４９）、一方マウスにおいては、１６ｍｇ／ｋｇの経口投与量によって１，０４５ｎｍｏｌ／Ｌの平均Ｃｍａｘがもたらされる（３２）。前記薬剤は臨床状況において１日２回摂取されるため、１６ｍｇ／ｋｇ／ｄは２回分の用量に分割され、本明細書に記載の実験の間に投与される。マラビロックは肺の腫瘍量を有意に減少させた。薬理学的なＣＣＲ５阻害が乳がんを有する患者に有益であり得ることは提唱されていたが、我々が知る限りにおいては、これが、ＣＣＲ５拮抗薬の全身投与が基底乳がん細胞の転移性コロニー形成を減少させることを示す最初の研究である。
【００９３】
マラビロックの転移抑制効果は、確立された転移の成長における変化によって引き起こされるものではない。ＣＣＬ５によるＣＣＲ５活性化はＣＣＲ５形質移入ＭＣＦ−７乳がん細胞（１８）および前立腺がん細胞（５０）における増殖を行わせるが、本研究および他の研究（１３）によって、ＣＣＬ５／ＣＣＲ５軸が基底細胞様ＭＤＡ−ＭＢ−２３１細胞における細胞増殖または細胞生存に関与しないことが示された。さらに、ＭＤＡ−ＭＢ−２３１細胞におけるドミナントネガティブ型のＣＣＲ５（ＣＣＲ５Δ３２）を介したＣＣＲ５細胞表面発現の阻害は、インビボにおける増殖またはアポトーシス応答を変化させない（１７）。一方、マラビロックがＭＤＡ．ｐＦＵＬＧがん細胞による肺コロニー形成を減少させたことが分かった。この結果は、乳がん細胞内でのＣＣＲ５発現の阻害または担癌マウスへの抗ＣＣＬ５中和抗体の投与が、間葉系幹細胞（ＭＳＣ）の同時注入によって誘導された転移能増強を低減した、以前の研究と一致する（参考文献１３）。前記著者らは、がん細胞の血管外遊走が、ＣＣＬ５／ＣＣＲ５阻害によって影響を受ける決定的な転移段階であると特定した（１３）。まとめると、これらのデータは、到達後の基底乳がん細胞の増殖または生存の阻害ではなく、基底乳がん細胞の転移部位への到達能力の阻止における、ＣＣＲ５拮抗薬の役割を裏付けるものである。転移部位へのがん細胞のホーミングの阻止は、真の転移抑制剤における望ましい特徴である（５１）。従って、ＣＣＲ５拮抗薬は、ＣＣＲ５を過剰発現する乳房基底腫瘍またはＣＣＲ５が転移を促進する他の腫瘍型（例えば、前立腺がん（５０）または胃がん（５２））に対する補助療法として、有用であり得る。
【００９４】
上記に示され説明された好ましい実施形態に、その広範な発明概念から逸脱することなく、変化がなされ得ることは、当業者には理解される。従って、本発明が、示され説明された好ましい実施形態に限定されず、むしろ、添付の特許請求の範囲によって定義される本発明の精神および範囲内の変更を包含することを意図されていることが理解される。例えば、好ましい実施形態の特定の特徴は、添付の特許請求の範囲に記載されている発明の一部であっても一部でなくてもよく、開示される実施形態の特徴は、組み合わされてもよい。本明細書に特に記載がない限り、用語「１つの」、「ある」、および「その」は、１つの要素に限定されず、むしろ、「少なくとも１つ」を意味するものと読まれるべきである。
【００９５】
本発明の図面および記述の少なくとも一部は、本発明の明確な理解に適した要素に注目するために単純化されている一方で、明確化を目的として、本発明の一部を構成し得ると当業者によって理解される他の要素が排除されていることを理解されたい。しかしながら、そのような要素は当該技術分野において周知であり、かつ必ずしも本発明のより良い理解に役立つとは限らないことから、そのような要素の説明は本明細書には提供されていない。
【００９６】
さらに、本方法が本明細書に記載される段階の特定の順番に依拠しない限りにおいて、該段階の特定の順番は、添付の特許請求の範囲を限定するものと解釈されるべきではない。本発明の方法を対象とする添付の特許請求の範囲は、記述された順番におけるそれらの段階の実行に限定されるべきではなく、当業者は、それらの段階が変更されることがありかつ本発明の精神および範囲内のままでありつづけることを、容易に理解することができる。
【００９７】
本明細書に引用される、刊行物、特許出願、および特許を含む全ての参考文献は、それぞれの参考文献が、参照によって本明細書に組み込まれており、その全体が本明細書に記載されていることを、個々に且つ具体的に示されているのと同程度に、参照によって本明細書に組み込まれている。
【００９８】
II.  参考文献
0006518585.tif 000002
0006518585.tif 000003
0006518585.tif 000004
0006518585.tif 000005
0006518585.tif 000006
【図１Ａ】
0006518585.tif 000007
【図１Ｂ】
0006518585.tif 000008
【図１Ｃ】
0006518585.tif 000009
【図１Ｄ】
0006518585.tif 000010
【図２Ａ】
0006518585.tif 000011
【図２Ｂ】
0006518585.tif 000012
【図２Ｃ】
0006518585.tif 000013
【図２Ｄ】
0006518585.tif 000014
【図２Ｅ】
0006518585.tif 000015
【図２Ｆ】
0006518585.tif 000016
【図２Ｇ】
0006518585.tif 000017
【図２Ｈ】
0006518585.tif 000018
【図３Ａ】
0006518585.tif 000019
【図３Ｂ】
0006518585.tif 000020
【図３Ｃ】
0006518585.tif 000021
【図３Ｄ】
0006518585.tif 000022
【図４Ａ】
0006518585.tif 000023
【図４Ｂ】
0006518585.tif 000024
【図４Ｃ】
0006518585.tif 000025
【図４Ｄ】
0006518585.tif 000026
【図５Ａ】
0006518585.tif 000027
【図５Ｂ】
0006518585.tif 000028
【図５Ｃ】
0006518585.tif 000029
【図５Ｄ】
0006518585.tif 000030
【図５Ｅ】
0006518585.tif 000031
【図５Ｆ】
0006518585.tif 000032
【図６Ａ】
0006518585.tif 000033
【図６Ｂ】
0006518585.tif 000034
【図６Ｃ】
0006518585.tif 000035
【図６Ｄ】
0006518585.tif 000036
【図６Ｅ】
0006518585.tif 000037
【図６Ｆ】
0006518585.tif 000038
【図６Ｇ】
0006518585.tif 000039
【図６Ｈ】
0006518585.tif 000040
【図７Ａ】
0006518585.tif 000041
【図７Ｂ】
0006518585.tif 000042
【図７Ｃ】
0006518585.tif 000043
【図７Ｄ】
0006518585.tif 000044
【図８】
0006518585.tif 000045
【図９Ａ】
0006518585.tif 000046
【図９Ｂ】
0006518585.tif 000047
【図９Ｃ】
0006518585.tif 000048
【図９Ｄ】
0006518585.tif 000049
【図１０Ａ】
0006518585.tif 000050
【図１０Ｂ】
0006518585.tif 000051
【図１０Ｃ】
0006518585.tif 000052
【図１０Ｄ】
0006518585.tif 000053
【図１０Ｅ】
0006518585.tif 000054
【図１０Ｆ】
0006518585.tif 000055
【図１１Ａ】
0006518585.tif 000056
【図１１Ｂ】
0006518585.tif 000057
【図１２】
0006518585.tif 000058
【図１３Ａ】
0006518585.tif 000059
【図１３Ｂ】
0006518585.tif 000060
【図１３Ｃ】
0006518585.tif 000061
【図１３Ｄ】
0006518585.tif 000062
【図１４Ａ】
0006518585.tif 000063
【図１４Ｂ】
0006518585.tif 000064
【図１４Ｃ】
0006518585.tif 000065
【図１４Ｄ】
0006518585.tif 000066